(57)【要約】セルアイデンティティ、周波数、休止／アクティブ状態などの、セル検出情報を決定することができる。このセル検出情報は、例えば、受信された補助同期信号（ＡｕＳＳ）のプロパティに基づいて、または発見信号に基づいて、報告することができる。受信した信号は、そのタイミングの関数として、例えば、サービングセルのタイミングに対する関数として処理される。ＷＴＲＵは、隣接セルに対するセル検出情報を得ることができる。セルは、周囲のＷＴＲＵによっても検出される。ＷＴＲＵは、ＡｕＳＳの検出されたプロパティからまたは発見信号から、セル再アクティブ化のタイミングを決定することができる。ＷＴＲＵは、休止しているが一時的に再アクティブ化されたセル選択すると、ＲＲＣ手順をトリガすることができる。ｅＮＢは、隣接セルから受信された信号の検出に基づいて、休止セルのためのＡｕＳＳを送信することができる。検出された信号に基づいて、準コロケーション（ＱＣＬ）復調を実行することができる。セルのオン／オフ状態を示すこともできる。
2016518772.tif 000002
【特許請求の範囲】
【請求項１】
無線リンクをモニタする方法において、
無線送受信ユニット（ＷＴＲＵ）において、補助同期信号（ＡｕＳＳ）または発見信号の１つ以上を検出するステップと、
前記検出された信号を、サービングセルの信号に対する前記検出された信号のタイミングの関数として処理するステップと、
前記検出された信号に基づいて、無線リンクモニタリングを実行するステップと
を備えることを特徴とする方法。
【請求項２】
予め規定された時間ウィンドウの中で、前記ＡｕＳＳまたは前記発見信号の前記１つ以上を検出するステップをさらに備えることを特徴とする請求項１に記載の方法。
【請求項３】
示された開始時刻で始まる複数のサブフレームの中で、前記ＡｕＳＳまたは前記発見信号の前記１つ以上を検出するステップをさらに備えることを特徴とする請求項１に記載の方法。
【請求項４】
前記ＡｕＳＳまたは前記発見信号の前記１つ以上に基づいて、前記無線リンクの無線リンク品質推定または測定の１つ以上を実行するステップをさらに備えることを特徴とする請求項１に記載の方法。
【請求項５】
前記無線リンクの無線リンク品質推定または測定の前記１つ以上を実行するのに使用される参照信号のタイプを示している測定報告を生成するステップをさらに備えることを特徴とする請求項４に記載の方法。
【請求項６】
前記測定報告は、前記検出された信号のタイミング情報を示していることを特徴とする請求項５に記載の方法。
【請求項７】
前記測定報告は、無線リンク品質推定を実行するのに使用される参照信号に対する、少なくとも１つの報告された測定の識別を示していることを特徴とする請求項５に記載の方法。
【請求項８】
前記測定報告は、前記測定識別に対する前記報告をトリガした前記検出された信号に関連付けられたセルの状態を示していることを特徴とする請求項７に記載の方法。
【請求項９】
前記サービングセルの状態に基づいて、無線リンクモニタリングのために使用される信号を決定するステップをさらに備えることを特徴とする請求項１に記載の方法。
【請求項１０】
前記ＷＴＲＵにおいて、発見参照信号（ＤＲＳ）を検出するステップと、
前記ＤＲＳに基づいて、前記サービングセルの前記状態を決定するステップと
をさらに備えることを特徴とする請求項９に記載の方法。
【請求項１１】
前記ＡｕＳＳまたは前記発見信号の前記１つ以上のプロパティの関数として、セル検出情報を決定するステップをさらに備えることを特徴とする請求項１に記載の方法。
【請求項１２】
前記セル検出情報は、セル識別パラメータ、セルの動作周波数、セルの状態の１つ以上を含むことを特徴とする請求項１１に記載の方法。
【請求項１３】
デバイスにおいて、
プロセッサと、
前記プロセッサによって実行されたときに前記デバイスに
前記デバイスにおいて、補助同期信号（ＡｕＳＳ）または発見信号の１つ以上を検出し、
前記検出された信号を、サービングセルの信号に対する前記検出された信号のタイミングの関数として処理し、
前記検出された信号に基づいて、無線リンクモニタリングを実行
させる命令を含んだメモリと
を備えたことを特徴とするデバイス。
【請求項１４】
前記メモリは、前記プロセッサによって実行されたときに前記デバイスに
予め規定された時間ウィンドウの中で、前記ＡｕＳＳまたは前記発見信号の前記１つ以上を検出させる命令をさらに含むことを特徴とする請求項１３に記載のデバイス。
【請求項１５】
前記メモリは、前記プロセッサによって実行されたときに前記デバイスに
示された開始時刻で始まる複数のサブフレームの中で、前記ＡｕＳＳまたは前記発見信号の前記１つ以上を検出させる命令をさらに含むことを特徴とする請求項１３に記載のデバイス。
【請求項１６】
前記メモリは、前記プロセッサによって実行されたときに前記デバイスに
前記ＡｕＳＳまたは前記発見信号の前記１つ以上に基づいて、前記無線リンクの無線リンク品質推定または測定の１つ以上を実行させる命令をさらに含むことを特徴とする請求項１３に記載のデバイス。
【請求項１７】
前記メモリは、前記プロセッサによって実行されたときに前記デバイスに
前記無線リンクの無線リンク品質推定または測定の前記１つ以上を実行するのに使用される参照信号のタイプを示している測定報告を生成させる命令をさらに含むことを特徴とする請求項１６に記載のデバイス。
【請求項１８】
前記測定報告は、無線リンク品質推定を実行するのに使用される参照信号に対する、少なくとも１つの報告された測定の識別を示していることを特徴とする請求項１７に記載のデバイス。
【請求項１９】
前記測定報告は、前記測定識別に対する前記報告をトリガした前記検出された信号に関連付けられたセルの状態を示していることを特徴とする請求項１８に記載のデバイス。
【請求項２０】
前記メモリは、前記プロセッサによって実行されたときに前記デバイスに
前記サービングセルの状態に基づいて、無線リンクモニタリングのために使用される信号を決定させる命令をさらに含むことを特徴とする請求項１６に記載のデバイス。
【請求項２１】
前記メモリは、前記プロセッサによって実行されたときに前記デバイスに
前記ＷＴＲＵにおいて、発見参照信号（ＤＲＳ）を検出し、
前記ＤＲＳに基づいて、前記サービングセルの前記状態を決定させる命令をさらに含むことを特徴とする請求項２０に記載のデバイス。
【請求項２２】
前記メモリは、前記プロセッサによって実行されたときに前記デバイスに
ＡｕＳＳまたは発見信号の前記１つ以上のプロパティの関数として、セル検出情報を決定させる命令をさらに含むことを特徴とする請求項１３に記載のデバイス。
【請求項２３】
前記セル検出情報は、セル識別パラメータ、セルの動作周波数、セルの状態の１つ以上を含むことを特徴とする請求項２２に記載のデバイス。
【請求項２４】
プロセッサおよびメモリを備えた無線送受信ユニット（ＷＴＲＵ）において、
セルによりブロードキャストされる補助同期信号（ＡｕＳＳ）または発見信号の１つ以上を検出し、
前記ＡｕＳＳまたは前記発見信号の前記１つ以上に基づいて、前記セルの状態を決定し、前記状態は、休止またはアクティブの１つあり、
前記ＡｕＳＳまたは前記発見信号の前記１つ以上に基づいて、前記セルのためのセル検出情報の少なくとも１つの追加の項目を決定し、セル検出情報の前記少なくとも１つの追加の項目は、前記ＡｕＳＳまたは前記発見信号をブロードキャストするのに使用される、時間領域の位置または周波数領域の位置のうちの１つ以上に基づいて決定され、並びに、
前記ＡｕＳＳまたは前記発見信号の１つ以上に基づいて、前記セルと同期する
よう構成されたＷＴＲＵ。
【発明の詳細な説明】
【背景技術】
【０００１】
本出願は、２０１３年４月３日に出願された米国仮特許出願第６１／８０８１４６号明細書、２０１３年５月８日に出願された米国仮特許出願第６１／８２１１７７号明細書、２０１３年９月２５日に出願された米国仮特許出願第６１／８８２５８４号明細書、２０１３年１０月３０日に出願された米国仮特許出願第６１／８９７３２６号明細書、２０１４年１月２９日に出願された米国仮特許出願第６１／９３３２３５号明細書、および２０１４年３月１９日に出願された米国仮特許出願第６１／９５５６２６号明細書の利益を主張する。
【０００２】
ＬＴＥシステムでは、セル検出および識別、またはセルサーチは、定期的に、例えば、５ｍｓおきに送信することができるプライマリ同期信号およびセカンダリ同期信号（それぞれＰＳＳおよびＳＳＳ）によってサポートすることができる。無線送受信ユニット（ＷＴＲＵ）は、ＰＳＳを検出および識別し、初期タイミング情報（５ｍｓタイミング）と、セルアイデンティティ（識別）グループ内の複数（例えば、３つ）の可能なセルアイデンティティ（識別）のうちの１つを獲得することによって、開始することができる。その後、ＷＴＲＵは、ＰＳＳに対してその位置が固定されたＳＳＳを識別することができ、フレームタイミング情報（１０ｍｓタイミング）に加えて、例えば、１６８個の可能なグループのうちからセルアイデンティティグループを、したがって、例えば、５０４個の可能なアイデンティティのうちからセルアイデンティティ（セル識別）を獲得することができる。
【発明の概要】
【発明が解決しようとする課題】
【０００３】
ＬＴＥシステムでは、セル検出および識別、またはセルサーチは、定期的に、例えば、５ｍｓおきに送信することができるプライマリ同期信号およびセカンダリ同期信号（それぞれＰＳＳおよびＳＳＳ）によってサポートすることができる。無線送受信ユニット（ＷＴＲＵ）は、ＰＳＳを検出および識別し、初期タイミング情報（５ｍｓタイミング）と、セルアイデンティティグループ内の複数（例えば、３つ）の可能なセルアイデンティティのうちの１つを獲得することによって、開始することができる。その後、ＷＴＲＵは、ＰＳＳに対してその位置が固定されたＳＳＳを識別することができ、フレームタイミング情報（１０ｍｓタイミング）に加えて、例えば、１６８個の可能なグループのうちからセルアイデンティティグループを、したがって、例えば、５０４個の可能なアイデンティティのうちからセルアイデンティティ（セル識別）を獲得することができる。
【課題を解決するための手段】
【０００４】
無線リンクモニタリングおよび／または測定は、セル固有参照信号（ＣＲＳ）が存在しないことがある場合に、例えば、すべてのサブフレーム内または知られたサブフレーム内で、セル固有参照信号が受信されないことがある場合に実行することができる。例えば、セルは、サブフレームに基づいて、またはある時間期間にわたって、不連続送信（ＤＴＸ）またはオン／オフ操作を適用することができる。
【０００５】
無線送受信ユニット（ＷＴＲＵ）は、補助同期信号（ＡｕＳＳ）または発見信号の１または複数を検出することができる。受信された信号は、例えば、サービングセルのタイミングに対する、そのタイミングの関数として処理することができる。ＷＴＲＵは、検出された信号に基づいて、無線リンクモニタリングを実行することができる。
【０００６】
補助同期信号または発見信号は、無線リンクモニタリングを実行するために使用することができるプロパティを含むことができる。無線リンクの無線リンク品質推定および／または測定を実行することができる。検出された信号に基づいて、準コロケーション（ＱＣＬ：ｑｕａｓｉ−ｃｏｌｏｃａｔｉｏｎ）復調を実行することができる。セルのオン／オフ状態を示すことができる。
【０００７】
ＷＴＲＵは、発見参照信号（ＤＲＳ）を検出し、ＤＲＳに基づいてセルの状態を決定することによって、セルの状態を検出することができる。セルの状態は、不連続受信（ＤＲＸ）モードからＷＴＲＵをアウェイクさせ、セルの状態の仮定に基づいてセルの状態を自律的に決定することによって検出することができる。より詳細な理解は、添付の図面と併せて、例として与えられる、以下の説明から得ることができる。
【図面の簡単な説明】
【０００８】
【図１Ａ】１または複数の開示される実施形態をそこで実施することができる例示的な通信システムのシステム図である。
【図１Ｂ】図１Ａに示される通信システム内で使用することができる例示的な無線送受信ユニット（ＷＴＲＵ）のシステム図である。
【図１Ｃ】図１Ａに示される通信システム内で使用することができる例示的な無線アクセスネットワークおよび例示的なコアネットワークのシステム図である。
【図１Ｄ】図１Ａに示される通信システム内で使用することができる別の例示的な無線アクセスネットワークおよび別の例示的なコアネットワークのシステム図である。
【図１Ｅ】図１Ａに示される通信システム内で使用することができる別の例示的な無線アクセスネットワークおよび別の例示的なコアネットワークのシステム図である。
【図２】セル検出情報として使用することができる例示的な要素およびパラメータを示す図である。
【発明を実施するための形態】
【０００９】
説明に役立つ例についての詳細な説明が、様々な図を参照して今から行われる。この説明は可能な実施についての詳細な例を提供するが、細部は例示的なものであることが意図されており、決して本出願の範囲を限定するものではないことに留意されたい。
【００１０】
図１Ａは、１または複数の開示される実施形態をそこで実施することができる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１または複数のチャネルアクセス方法を利用することができる。
【００１１】
図１Ａに示されるように、通信システム１００は、（一般にまたは一括してＷＴＲＵ１０２と呼ばれることがある）無線送受信ユニット（ＷＴＲＵ）１０２ａ、１０２ｂ、１０２ｃ、および／または１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例を挙げると、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含むことができる。
【００１２】
通信システム１００は、基地局１１４ａおよび基地局１１４ｂも含むことができる。基地局１１４ａ、１１４ｂの各々は、コアネットワーク１０６／１０７／１０９、インターネット１１０、および／またはネットワーク１１２などの１または複数の通信ネットワークへのアクセスを容易にするために、ＷＴＲＵ１０２ａ、１０２ｂ、１０２ｃ、１０２ｄの１または複数と無線でインターフェースを取るように構成された、任意のタイプのデバイスとすることができる。例を挙げると、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１３】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、例えば、セルのセクタごとに１つずつ含むことができる。別の実施形態では、基地局１１４ａは、多入力多出力（ＭＩＭＯ）技術を利用することができ、したがって、セルのセクタごとに複数の送受信機を利用することができる。
【００１４】
基地局１１４ａ、１１４ｂは、エアインターフェース１１５／１１６／１１７上で、ＷＴＲＵ１０２ａ、１０２ｂ、１０２ｃ、１０２ｄの１または複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【００１５】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１または複数のチャネルアクセス方式を利用することができる。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１６】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することができる、進化型ＵＭＴＳ地上無線アクセス（Ｅ−ＵＴＲＡ）などの無線技術を実施することができる。
【００１７】
他の実施形態では、基地局１１４ａ、およびＷＴＲＵ１０２ａ、１０２ｂ、１０２ｃは、ＩＥＥＥ８０２．１６（例えば、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、およびＧＳＭ  ＥＤＧＥ（ＧＥＲＡＮ）などの無線技術を実施することができる。
【００１８】
図１Ａの基地局１１４ｂは、例えば、無線ルータ、ホームノードＢ、ホームｅノードＢ、またはアクセスポイントとすることができ、職場、家庭、乗物、およびキャンパスなどのローカルエリアにおける無線接続性を容易にするために、任意の適切なＲＡＴを利用することができる。一実施形態では、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態では、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６／１０７／１０９を介して、インターネット１１０にアクセスする必要がないことがある。
【００１９】
ＲＡＮ１０３／１０４／１０５は、コアネットワーク１０６／１０７／１０９と通信することができ、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１または複数に提供するように構成された、任意のタイプのネットワークとすることができる。例えば、コアネットワーク１０６／１０７／１０９は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０３／１０４／１０５に接続するのに加えて、コアネットワーク１０６／１０７／１０９は、ＧＳＭ無線技術を利用する別のＲＡＮ（図示されず）とも通信することができる。
【００２０】
コアネットワーク１０６／１０７／１０９は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０３／１０４／１０５と同じＲＡＴまたは異なるＲＡＴを利用することができる１または複数のＲＡＮに接続された、別のコアネットワークを含むことができる。
【００２１】
通信システム１００内のＷＴＲＵ１０２ａ、１０２ｂ、１０２ｃ、１０２ｄのいくつかまたはすべては、マルチモード機能を含むことができ、例えば、ＷＴＲＵ１０２ａ、１０２ｂ、１０２ｃ、１０２ｄは、異なる無線リンク上で異なる無線ネットワークと通信するための複数の送受信機を含むことができる。例えば、図１Ａに示されたＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２２】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。また、実施形態は、基地局１１４ａ、１１４ｂ、ならびに／またはとりわけ、トランシーバ局（ＢＴＳ）、ノードＢ、サイトコントローラ、アクセスポイント（ＡＰ）、ホームノードＢ、進化型ノードＢ（ｅノードＢ）、ホーム進化型ノードＢ（ＨｅＮＢ）、ホーム進化型ノードＢゲートウェイ、およびプロキシノードなどの、しかし、それらに限定されない、基地局１１４ａ、１１４ｂが表すことができるノードが、図１Ｂに示され、本明細書で説明される要素のいくつかまたはすべてを含むことができることを企図している。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入出力処理、および／またはＷＴＲＵ１０２が無線環境で動作することを可能にする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々の構成要素として示しているが、プロセッサ１１８と送受信機１２０は、電子パッケージまたはチップ内に一緒に統合することができることが理解されよう。プロセッサ１１８などのプロセッサは、統合されたメモリを含むことができる（例えば、ＷＴＲＵ１０２は、プロセッサおよび関連するメモリを含むチップセットを含むことができる）。メモリは、プロセッサ（例えば、プロセッサ１１８）と統合されたメモリ、またはデバイス（例えば、ＷＴＲＵ１０２）と他の方法で関連付けられたメモリを指すことができる。メモリは、非一時的とすることができる。メモリは、プロセッサによって実行することができる命令（例えば、ソフトウェアおよび／またはファームウェア命令）を含む（例えば、記憶する）ことができる。例えば、メモリは、実行されたときに、本明細書で説明される実施の１または複数をプロセッサに実施させることができる命令を含むことができる。
【００２４】
送信／受信要素１２２は、エアインターフェース１１５／１１６／１１７上で、基地局（例えば、基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成することができることが理解されよう。
【００２５】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインターフェース１１５／１１６／１１７上で無線信号を送信および受信するための２以上の送信／受信要素１２２（例えば、複数のアンテナ）を含むことができる。
【００２６】
送受信機１２０は、送信／受信要素１２２によって送信される信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１などの複数のＲＡＴを介して通信することを可能にするための、複数の送受信機を含むことができる。
【００２７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０、着脱可能メモリ１３２、および／またはプロセッサ１１８と統合されたメモリなど、任意のタイプの適切なメモリから情報を入手することができ、それらにデータを記憶することができる。着脱不能メモリ１３０は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示されず）上などに配置されたメモリから情報を入手することができ、それらにデータを記憶することができる。
【００２８】
プロセッサ１１８は、電源１３４から電力を受け取ることができ、ＷＴＲＵ１０２内の他の構成要素への電力の分配および／または制御を行うように構成することができる。電源１３４は、ＷＴＲＵ１０２に給電するための任意の適切なデバイスとすることができる。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２９】
プロセッサ１１８は、ＧＰＳチップセット１３６にも結合することができ、ＧＰＳチップセット１３６は、ＷＴＲＵ１０２の現在位置に関する位置情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上で位置情報を受信することができ、および／または２以上の近くの基地局から受信した信号のタイミングに基づいて、自らの位置を決定することができる。ＷＴＲＵ１０２は、実施形態との整合性を保ちながら、任意の適切な位置決定方法を用いて、位置情報を獲得することができることが理解されよう。
【００３０】
プロセッサ１１８は、他の周辺機器１３８にさらに結合することができ、他の周辺機器１３８は、追加的な特徴、機能、および／または有線もしくは無線接続性を提供する、１または複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３１】
図１Ｃは、実施形態による、ＲＡＮ１０３およびコアネットワーク１０６のシステム図である。上で言及されたように、ＲＡＮ１０３は、ＵＴＲＡ無線技術を利用して、エアインターフェース１１５上でＷＴＲＵ１０２ａ、１０２ｂ、１０２ｃと通信することができる。ＲＡＮ１０３は、コアネットワーク１０６とも通信することができる。図１Ｃに示されるように、ＲＡＮ１０３は、ノードＢ１４０ａ、１４０ｂ、１４０ｃを含むことができ、ノードＢ１４０ａ、１４０ｂ、１４０ｃは各々、エアインターフェース１１５上でＷＴＲＵ１０２ａ、１０２ｂ、１０２ｃと通信するための１または複数の送受信機を含むことができる。ノードＢ１４０ａ、１４０ｂ、１４０ｃは各々、ＲＡＮ１０３内の特定のセル（図示されず）に関連付けることができる。ＲＡＮ１０３は、ＲＮＣ１４２ａ、１４２ｂも含むことができる。ＲＡＮ１０３は、実施形態との整合性を保ちながら、任意の数のノードＢおよびＲＮＣを含むことができることが理解されよう。
【００３２】
図１Ｃに示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能を実施またはサポートするように構成することができる。
【００３３】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素は、どの１つをとっても、コアネットワークオペレータとは異なるエンティティによって所有および／または運営することができることが理解されよう。
【００３４】
ＲＡＮ１０３内のＲＮＣ１４２ａは、ＩｕＣＳインターフェースを介して、コアネットワーク１０６内のＭＳＣ１４６に接続することができる。ＭＳＣ１４６は、ＭＧＷ１４４に接続することができる。ＭＳＣ１４６とＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にすることができる。
【００３５】
ＲＡＮ１０３内のＲＮＣ１４２ａは、ＩｕＰＳインターフェースを介して、コアネットワーク１０６内のＳＧＳＮ１４８にも接続することができる。ＳＧＳＮ１４８は、ＧＧＳＮ１５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にすることができる。
【００３６】
上で言及されたように、コアネットワーク１０６は、ネットワーク１１２にも接続することができ、ネットワーク１１２は、他のサービスプロバイダによって所有および／または運営される他の有線または無線ネットワークを含むことができる。
【００３７】
図１Ｄは、実施形態による、ＲＡＮ１０４およびコアネットワーク１０７のシステム図である。上で言及されたように、ＲＡＮ１０４は、エアインターフェース１１６上でＷＴＲＵ１０２ａ、１０２ｂ、１０２ｃと通信するために、Ｅ−ＵＴＲＡ無線技術を利用することができる。ＲＡＮ１０４は、コアネットワーク１０７とも通信することができる。
【００３８】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上でＷＴＲＵ１０２ａ、１０２ｂ、１０２ｃと通信するための１または複数の送受信機を含むことができる。一実施形態では、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、ＷＴＲＵ１０２ａから無線信号を受信することができる。
【００３９】
ｅノードＢ１６０ａ、１６０ｂ、１６０ｃの各々は、特定のセル（図示されず）に関連付けることができ、無線リソース管理決定、ハンドオーバ決定、ならびにアップリンクおよび／またはダウンリンクにおけるユーザのスケジューリングなどを処理するように構成することができる。図１Ｄに示されるように、ｅノードＢ１６０ａ、１６０ｂ、１６０ｃは、Ｘ２インターフェース上で互いに通信することができる。
【００４０】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。上記の要素の各々は、コアネットワーク１０７の部分として示されているが、これらの要素は、どの１つをとっても、コアネットワークオペレータとは異なるエンティティによって所有および／または運営することができることが理解されよう。
【００４１】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１６２は、ＲＡＮ１０４とＧＳＭまたはＷＣＤＭＡなどの他の無線技術を利用する他のＲＡＮ（図示されず）との間の交換のためのコントロールプレーン機能も提供することができる。
【００４２】
サービングゲートウェイ１６４は、Ｓ１インターフェースを介して、ＲＡＮ１０４内のｅノードＢ１６０ａ、１６０ｂ、１６０ｃの各々に接続することができる。サービングゲートウェイ１６４は、一般に、ユーザデータパケットのＷＴＲＵ１０２ａ、１０２ｂ、１０２ｃへの／からの経路選択および転送を行うことができる。サービングゲートウェイ１６４は、ｅノードＢ間ハンドオーバ中におけるユーザプレーンのアンカリング、ダウンリンクデータがＷＴＲＵ１０２ａ、１０２ｂ、１０２ｃに利用可能な場合に行うページングのトリガ、ならびにＷＴＲＵ１０２ａ、１０２ｂ、１０２ｃのコンテキストの管理および記憶など、他の機能も実行することができる。
【００４３】
サービングゲートウェイ１６４は、ＰＤＮゲートウェイ１６６にも接続することができ、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にすることができる。
【００４４】
コアネットワーク１０７は、他のネットワークとの通信を容易にすることができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にすることができる。例えば、コアネットワーク１０７は、コアネットワーク１０７とＰＳＴＮ１０８の間のインターフェースとしての役割を果たすＩＰゲートウェイ（例えば、ＩＰマルチメディアサブシステム（ＩＭＳ）サーバ）を含むことができ、またはＩＰゲートウェイと通信することができる。加えて、コアネットワーク１０７は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００４５】
図１Ｅは、実施形態による、ＲＡＮ１０５およびコアネットワーク１０９のシステム図である。ＲＡＮ１０５は、ＩＥＥＥ８０２．１６無線技術を利用して、エアインターフェース１１７上でＷＴＲＵ１０２ａ、１０２ｂ、１０２ｃと通信する、アクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義することができる。
【００４６】
図１Ｅに示されるように、ＲＡＮ１０５は、基地局１８０ａ、１８０ｂ、１８０ｃと、ＡＳＮゲートウェイ１８２とを含むことができるが、ＲＡＮ１０５は、実施形態との整合性を保ちながら、任意の数の基地局とＡＳＮゲートウェイとを含むことができることが理解されよう。基地局１８０ａ、１８０ｂ、１８０ｃは、各々が、ＲＡＮ１０５内の特定のセル（図示されず）に関連付けることができ、各々が、エアインターフェース１１７上でＷＴＲＵ１０２ａ、１０２ｂ、１０２ｃと通信するための１または複数の送受信機を含むことができる。一実施形態では、基地局１８０ａ、１８０ｂ、１８０ｃは、ＭＩＭＯ技術を実施することができる。したがって、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃは、ハンドオフトリガリング、トンネル確立、無線リソース管理、トラフィック分類、およびサービス品質（ＱｏＳ）方針実施などの、モビリティ管理機能も提供することができる。ＡＳＮゲートウェイ１８２は、トラフィック集約ポイントとしての役割を果たすことができ、ページング、加入者プロファイルのキャッシング、およびコアネットワーク１０９への経路選択などを担うことができる。
【００４７】
ＷＴＲＵ１０２ａ、１０２ｂ、１０２ｃとＲＡＮ１０５の間のエアインターフェース１１７は、ＩＥＥＥ８０２．１６仕様を実施する、Ｒ１参照点として定義することができる。加えて、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９の間の論理インターフェースは、Ｒ２参照点として定義することができ、Ｒ２参照点は、認証、認可、ＩＰホスト構成管理、および／またはモビリティ管理のために使用することができる。
【００４８】
基地局１８０ａ、１８０ｂ、１８０ｃの各々の間の通信リンクは、ＷＴＲＵハンドオーバおよび基地局間でのデータの転送を容易にするためのプロトコルを含む、Ｒ８参照点として定義することができる。基地局１８０ａ、１８０ｂ、１８０ｃとＡＳＮゲートウェイ１８２の間の通信リンクは、Ｒ６参照点として定義することができる。Ｒ６参照点は、ＷＴＲＵ１０２ａ、１０２ｂ、１０２ｃの各々に関連付けられたモビリティイベントに基づいたモビリティ管理を容易にするためのプロトコルを含むことができる。
【００４９】
図１Ｅに示されるように、ＲＡＮ１０５は、コアネットワーク１０９に接続することができる。ＲＡＮ１０５とコアネットワーク１０９の間の通信リンクは、例えば、データ転送およびモビリティ管理機能を容易にするためのプロトコルを含む、Ｒ３参照点として定義することができる。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記の要素の各々は、コアネットワーク１０９の部分として示されているが、これらの要素は、どの１つをとっても、コアネットワークオペレータとは異なるエンティティによって所有および／または運営することができることが理解されよう。
【００５０】
ＭＩＰ−ＨＡは、ＩＰアドレス管理を担うことができ、ＷＴＲＵ１０２ａ、１０２ｂ、１０２ｃが、異なるＡＳＮの間で、および／または異なるコアネットワークの間でローミングを行うことを可能にすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にすることができる。ＡＡＡサーバ１８６は、ユーザ認証、およびユーザサービスのサポートを担うことができる。ゲートウェイ１８８は、他のネットワークとの網間接続を容易にすることができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にすることができる。加えて、ゲートウェイ１８８は、ネットワーク１１２へのアクセスをＷＴＲＵ１０２ａ、１０２ｂ、１０２ｃに提供し、ネットワーク１１２は、他のサービスプロバイダによって所有および／または運営される他の有線または無線ネットワークを含むことができる。
【００５１】
図１Ｅには示されていないが、ＲＡＮ１０５は、他のＡＳＮに接続することができ、コアネットワーク１０９は、他のコアネットワークに接続することができることが理解されよう。ＲＡＮ１０５と他のＡＳＮの間の通信リンクは、Ｒ４参照点として定義することができ、Ｒ４参照点は、ＲＡＮ１０５と他のＡＳＮの間で、ＷＴＲＵ１０２ａ、１０２ｂ、１０２ｃのモビリティを調整するためのプロトコルを含むことができる。コアネットワーク１０９と他のコアネットワークの間の通信リンクは、Ｒ５参照点として定義することができ、Ｒ５参照は、ホームコアネットワークと在圏コアネットワークの間の網間接続を容易にするためのプロトコルを含むことができる。
【００５２】
初期システムアクセスを実行する際、ＷＴＲＵは、例えば、競合ベースのランダムアクセス（ＣＢＲＡ）を実行することによって、最初にｅＮＢのリソースにアクセスして、無線リソース制御（ＲＲＣ）接続を確立することができる。ＷＴＲＵは、セル無線ネットワーク一時識別子（Ｃ−ＲＮＴＩ）をまだ割り当てられていないことがあるので、ｍｓｇ３からＣ−ＲＮＴＩ  ＭＡＣ制御要素を省くことができる。ＷＴＲＵは、例えば、ランダムアクセス応答（ＲＡＲ）において、一時Ｃ−ＲＮＴＩを受信することができ、それは、競合を解決するために使用することができる、（ＷＴＲＵによってｍｓｇ３内に含められた共通制御チャネル（ＣＣＣＨ）サービスデータユニット（ＳＤＵ）をエコーすることができる）ｍｓｇ４のスケジューリングのために使用することができる。ＷＴＲＵは、競合を解決した場合、そのＣ−ＲＮＴＩを一時Ｃ−ＲＮＴＩの値になるように設定することができる。
【００５３】
ＷＴＲＵは、例えば、接続モードまたは他のシナリオで動作しているとき、競合ベースのランダムアクセス（ＣＢＲＡ）または競合なしのランダムアクセス（ＣＦＲＡ）を実行することによって、ｅＮＢのリソースにアクセスすることができる。ランダムアクセス手順は、例えば、物理ダウンリンク制御チャネル（ＰＤＣＣＨ）の受信（例えば、ＰＤＣＣＨ指令）、スケジューリング要求を送信することの決定（ＲＡ−ＳＲ）、またはｍｏｂｉｌｉｔｙＣｏｎｔｒｏｌＩｎｆｏｒｍａｔｉｏｎ情報要素（ＩＥ）を有するＲＲＣ接続再構成の受信（例えば、ハンドオーバ（ＨＯ）コマンド）のうちの１または複数によってトリガすることができる。ＣＢＲＡの場合、ＷＴＲＵは、Ｃ−ＲＮＴＩ  ＭＡＣ制御要素をｍｓｇ３内に含めることができ、割り当てられたＣ−ＲＮＴＩを使用する。ＷＴＲＵは、Ｃ−ＲＮＴＩによってスクランブルされたＤＣＩ、例えば、アップリンクグラントを示すＤＣＩの受信から、競合を解決することができる。ＣＦＲＡの場合、ＷＴＲＵは、送信されたプリアンブルを示すランダムアクセスプリアンブル識別子（ＲＡＰＩＤ）フィールドを含むＲＡＲの受信から、ランダムアクセス手順が成功したと決定することができる。ＳＣｅｌｌのためのランダムアクセス手順は、ＰＤＣＣＨシグナリングの受信からトリガすることができ、競合なしとすることができる。（例えば、同じｅＮＢと関連付けられた）ＳＣｅｌｌ上で送信されたプリアンブルの場合、ＷＴＲＵは、一時Ｃ−ＲＮＴＩフィールドがＷＴＲＵの割り当てられたＣ−ＲＮＴＩになるように設定されていることを検証することができる。
【００５４】
いくつかの無線ネットワーク配備は、互いに同期することができる密集度の大きいスモールセルを含むことができる。しかしながら、プライマリ同期信号（ＰＳＳ）およびセカンダリ同期信号（ＳＳＳ）の検出性能は、待ち時間および／または信頼性に関して、近隣セルからのＰＳＳ信号およびＳＳＳ信号との間の潜在的に強い相互干渉のせいで損なわれることがある。近隣セルのＰＤＳＣＨは、ＰＳＳおよび／またはＳＳＳと干渉することがあるので、負荷が高い場合、この性能悪化は、同期していないセルによっても生じることがある。
【００５５】
特に、ＷＴＲＵが配備内で相対的により高速で、例えば、３０ｋｍ／ｈで移動している場合、ＰＳＳおよび／またはＳＳＳを検出する待ち時間が増加するほど、接続に失敗する確率は高くなることができる。
【００５６】
レガシＰＳＳ／ＳＳＳ信号またはセル固有参照信号（ＣＲＳ）信号が送信されないようにすることができる休止モードに入ることを、いくつかのスモールセルが許可される場合、別の問題が生じることがある。そのようなセルは、レガシ手順を使用して検出可能ではないことがある。加えて、レガシ手順を使用してそのようなセル上でＲＲＭ測定を実行することが、可能ではないことがある。
【００５７】
別の問題は、例えば、トラフィックアクティビティの再開または増加に起因する、休止状態にあることができたスモールセルのリソースへのＷＴＲＵによるアクセスと関連して生じることがある。トラフィックのバースト性のため、アクセスの待ち時間が数１０ミリ秒よりも低いアクセス技法を定めることが望ましいことがある。
【００５８】
第１のｅＮＢ、例えば、ＭｅＮＢへの確立されたＲＲＣ接続を有するＷＴＲＵは、第２のｅＮＢ、例えば、ＳｅＮＢのセルへのアクセスを試みることができると決定することができる。ネットワーク、例えば、ＭｅＮＢおよびＳｅＮＢは、ＳｅＮＢが、それが（例えば、ＣＦＲＡによる、および／もしくは専用ＰＲＡＣＨリソースを使用する）ＰＲＡＣＨ上でプリアンブルを受信したときに、または例えば、ＣＢＲＡによる、次のランダムアクセス手順の間に、そのセルの１つにアクセスするＷＴＲＵのアイデンティティを決定するのに十分な情報を有するように、事前に調整することができる。
【００５９】
例えば、ＣＦＲＡまたは他のシナリオの場合、少なくとも、アクセスの試みをトリガする指令をＷＴＲＵがネットワークから受信するまで、アクセスの試みを遅延させることができる。
【００６０】
例えば、ＣＢＲＡまたは他のシナリオの場合、少なくとも、アクセスの試みをトリガする指令をＷＴＲＵがネットワークから受信するまで、アクセスの試みを遅延させることができる。アクセスの試みは、対応するＳＲＢがどこで終了するかに応じて、ＳｅＮＢおよび／またはＭｅＮＢに与えるＲＲＣシグナリングを、ＷＴＲＵが、例えば、ｍｓｇ３内で、送信することを必要とすることがある。この手順は、存在しないことがある。例えば、ＲＲＣ接続確立手順およびＲＲＣ接続再確立手順は、ＲＲＣシグナリングを送信するために使用することができない。
【００６１】
いくつかの手順では、ＷＴＲＵは、第１のｅＮＢへの確立された動作中のＲＲＣ接続を有している間は、第２のｅＮＢのセルに自律的にアクセスする方法を有さないことがある。ＷＴＲＵが、第１のｅＮＢへの確立された動作中のＲＲＣ接続を有している間に、第２のｅＮＢのセルにアクセスすることを可能にする、方法、システム、および手段を開示することができる。そのような方法、システム、および手段は、ＷＴＲＵが、そのようなアクセスを自動的に実行すること、および／またはセルオン／オフメカニズムに関連する手順を組み合わせることを可能にすることができる。
【００６２】
セルアイデンティティ（セル識別）、周波数、休止／アクティブ状態などの、セル検出情報を決定することができる。このセル検出情報は、例えば、受信された補助同期信号（ＡｕＳＳ）のプロパティに基づいて、または測定構成の特徴に基づいて、報告することができる。例えば、ＷＴＲＵは、ＡｕＳＳの１もしくは複数のプロパティに基づいて、セル検出情報の１もしくは複数の項目（例えば、セルアイデンティティ、周波数、休止／アクティブモードなど）を決定するように、および／またはＡｕＳＳ内に含まれる（例えば、ＡｕＳＳ内に符号化する）ことができるセル検出情報の１もしくは複数の項目を決定するように構成することができる。ＡｕＳＳをブロードキャストするセルは、レガシＰＳＳ／ＳＳＳ信号も送信することができ、および／またはＰＳＳ／ＳＳＳ信号のブロードキャストを差し控えることができる。例えば、ＰＳＳ／ＳＳＳ信号をブロードキャストする代わりに、（例えば、ＳｅＮＢによってサービスされる）スモールセルは、スモールセルのセル検出情報を含むことができる、または他の方法で示すことができる、ＡｕＳＳをブロードキャストすることができる。
【００６３】
本明細書で開示される例は、ＷＴＲＵが、近隣セル、例えば、ＷＴＲＵが接続されていないことがあるセルのセル検出情報を獲得することを可能にすることができる。セルは、周囲のＷＴＲＵによっても検出することができる。セルに関連して本明細書で開示される例は、周囲のＷＴＲＵによって検出可能または発見可能なデバイスまたはＷＴＲＵによっても使用することができる。
【００６４】
図２に示されるように、セル検出情報２００は、様々な要素およびパラメータの１または複数を含むことができる。例えば、セル検出情報２００は、１または複数のパラメータを様々な組み合わせで含むことができる。例えば、セル検出情報２００は、範囲内の値（例えば、０から１６７）を取ることができる、セルアイデンティティグループ（セル識別グループ）（Ｎ（１）ＩＤ）２０２を含むことができる。セル検出情報２００は、範囲内の値（例えば、０から２）を取ることができる、セルアイデンティティグループ内の物理レイヤアイデンティティ（識別）２０４（Ｎ（２）ＩＤ）も含むことができる。セル検出情報２００は、上記２つのパラメータの関数とすることができる（例えば、ＮｃｅｌｌＩＤ＝３Ｎ（１）ＩＤ＋Ｎ（２）ＩＤ）、セルアイデンティティＮｃｅｌｌＩＤ２０６も含むことができる。
【００６５】
セル検出情報２００は、セルのタイミング情報２０８（例えば、サブフレームタイミング、シンボルタイミング、フレームタイミングなど）を含むことができる。発見信号または補助同期信号（ＡｕＳＳ）信号が、１フレームよりも大きい周期で、または１フレームよりも多い期間にわたって繰り返すパターンに従って送信される場合、セル検出情報２００は、例えば、サービングセルに対する、この発見信号または発見信号パターンのタイミングのインジケーション（表示）を含むことができる。発見信号という用語と補助同期信号（ＡｕＳＳ）という用語は、本明細書では交換可能に使用することができる。発見信号またはＡｕＳＳ信号は、ＷＴＲＵおよび／または他の基地局がブロードキャストセルに関するセル検出情報の１または複数の項目を決定することを可能にする、セルからブロードキャストされる信号とすることができる。例えば、発見信号またはＡｕＳＳ信号は、レガシＰＳＳ／ＳＳＳ信号と同様の情報を含むことができるが、発見信号またはＡｕＳＳ信号のために使用される送信フォーマットは、ＰＳＳ／ＳＳＳのために使用されるレガシフォーマットと異なることができる。発見信号またはＡｕＳＳ信号は、レガシＰＳＳ／ＳＳＳ信号内に含まれない情報を含むこと、または他の方法で示すことができる信号とすることができ、例えば、発見信号またはＡｕＳＳ信号は、セルのアクティブ／休止状態に関する情報または他のセル検出情報を含むこと、または他の方法で示すことができる。
【００６６】
セル検出情報２００は、セルと関連付けられた状態２１０、例えば、セルが、例えば、セル固有参照信号などのある信号、ある同期信号、またはある物理チャネルを送信しない、休止状態にあるかどうかを含むことができる。セルが休止状態にある場合、セル検出情報は、特定の信号が受信された時刻からセルが休止していることができる持続時間または最小持続時間２２６、特定の信号が受信された時刻からセルが通常動作を回復することができるまでの持続時間または最小持続時間２２８、セルが通常動作を回復することができる時刻、および／またはＰＲＡＣＨリソース２３０のうちの１または複数を含むことができる。例えば、ＰＲＡＣＨリソース２３０は、使用されるプリアンブル、プリアンブル送信のために使用されるＰＲＢのセット、および／または使用されるプリアンブルフォーマットなどのうちの１または複数についてのインジケーション（表示）を含むことができる。セル検出情報２００は、ＰＳＳ／ＳＳＳなどの同期信号がセル内で送信されるか（もしくは現在送信されているか）どうかに関する、および／またはセル固有参照信号がセル内で送信されるか（もしくは現在送信されているか）どうかに関する情報２１２を含むことができる。セル検出情報２００は、セルのタイプ２１４も含むことができる。例えば、セルタイプ情報２１４は、同期シグナリング、参照信号送信、ＭＩＢ／ＳＩＢ獲得、および／または制御シグナリング送信（例えば、ＰＤＣＣＨ、拡張ＰＤＣＣＨ（ｅＰＤＣＣＨ）など）などの１または複数のために、セルがレガシ構造を使用するか、それとも新しい構造を使用するかを示すことができる。セル検出情報２００は、セル内で送信される参照信号のタイプ２１６のインジケーション（表示）を含むことができる。例えば、参照信号タイプ情報２１６は、セルが参照信号のための（例えば、セル固有ＣＲＳが存在するかどうかも示すことができる）レガシ構造を有するかどうか、またはセルが異なるタイプ（例えば、参照信号の異なるセットを使用することができる新キャリアタイプ（ＮＣＴ）セル、もしくは例えば、ＣＳＩ−ＲＳ）に属するかどうかを示すことができる。セル検出情報２００は、セルを評価するとき、またはセルにアクセスするときに使用すべき、測定のタイプ２１８を含むことができる。例えば、測定のタイプ２１８に関する情報は、（例えば、レガシＲＳＲＰ測定を実行すべきかどうか、それともＲＳＲＰ測定の変形を実行すべきかなど）セル内で実行されるレイヤ３測定のタイプを示すことができる。セル検出情報２００は、セルの動作周波数２２０、セルが属するセルのクラスタのアイデンティティ（識別）２２２、セル内で使用される通常のもしくは拡張されたサイクリックプレフィックスの長さ２２４、および／または無線リンクモニタリングために使用される信号のタイプ２３２（例えば、無線リンクモニタリングために発見信号もしくはＣＲＳを使用することができるかどうか、もしくはＲＬＭのために任意のサブフレームもしくはサブフレームの制限されたセットを使用することができるかどうか）のうちの１または複数を含むこと、または他の方法で示すことができる。
【００６７】
ＷＴＲＵは、セルの検出および識別を加速し、タイミング情報を獲得するために、そのセルによって送信される、少なくとも１つの補助同期信号（ＡｕＳＳ）、発見信号、または参照信号の存在を検出し、それらの少なくとも１つのプロパティを識別することができる。ＷＴＲＵは、これを達成するために、ＡｕＳＳと併せてレガシ信号（例えば、ＰＳＳ／ＳＳＳ）も使用することができる。
【００６８】
ＡｕＳＳまたは発見信号は、例えば、１または複数のシンボルおよび／またはサブフレーム内で送信される、ＰＳＳ、ＳＳＳ、セル固有参照信号（ＣＲＳ）、測位参照信号（ＰＲＳ）、および／またはＣＳＩ−ＲＳなどの、レガシシステムにおいて使用することができる信号のタイプと類似または同一の構造を有することができる、１または複数の信号を含むことができる。
【００６９】
ネットワークノードは、ＷＴＲＵによるそれの検出を容易にするために、セルアイデンティティの関数としてのプロパティのセットに従って、セルについてのＡｕＳＳを送信することができる。
【００７０】
セルまたはＷＴＲＵは、セル識別のための数々の方法のいずれかを、単独でまたは任意の組み合わせで使用することができる。例えば、ＡｕＳＳのプロパティは、可能な時間領域位置（Time-domain location）の有限なセットのうちから、ＡｕＳＳが検出される特定の時間領域位置を含むことができる。時間領域位置は、タイムスロット番号またはサブフレーム番号のセット内における時間領域シンボルのセットまたは範囲によって表すことができる。ＡｕＳＳは、１または複数のフレーム内でＭ回、またはＮフレームおきに送信することができる。例えば、ＡｕＳＳは、フレーム内のタイムスロット＃０および＃１０のタイムシンボル（２＋Ｎ（２）ＩＤ）内で送信することができ、ここで、グループ内の物理レイヤアイデンティティＮ（２）ＩＤは、０、１、または２とすることができる。セル検出情報の１または複数の項目を導出または決定するために、ＡｕＳＳの時間領域位置をＷＴＲＵによって使用することができる。
【００７１】
ＡｕＳＳの別のプロパティは、可能な周波数領域位置（Frequency-domain location）の有限なセットのうちから、ＡｕＳＳが検出される特定の周波数領域位置を含むことができる。周波数領域位置は、キャリア内における（連続しているまたはしていない）サブキャリアのサブセットによって表すことができる。このサブセットは、ある物理リソースブロック（ＰＲＢ）内におけるサブキャリアのセットによって表すことができる。セル検出情報の１または複数の項目を導出または決定するために、ＡｕＳＳの周波数領域位置をＷＴＲＵによって使用することができる。例では、セル検出情報の１または複数の項目を導出または決定するために、ＡｕＳＳの時間領域位置と周波数領域位置の組み合わせをＷＴＲＵによって使用することができる。
【００７２】
例えば、ＡｕＳＳは、Ｎ（２）ＩＤ＝１である場合は６つの中央ＰＲＢ内の、またはＮ（２）ＩＤ＝０である場合は６つの隣接下方ＰＲＢ内の、またはＮ（２）ＩＤ＝２である場合は６つの隣接上方ＰＲＢ内の、６２個のサブキャリア内で送信することができる。言い換えると、ＡｕＳＳのためのサブキャリアのセットは、
【００７３】
【数１】
2016518772.tif 000003
【００７４】
であるｋの値として定めることができ、ここで、ＮＤＬＲＢは、ダウンリンクにおけるリソースブロックの数とすることができ、ＮＲＢＳＣ＝１２であるＮＲＢＳＣは、リソースブロック当たりのサブキャリアの数とすることができる。上の式（１）において、ｎを−５と−１の間または６２と６６の間の値に設定することによって獲得されるサブキャリア上の信号は、ＰＳＳに関しては、ゼロに設定することができる。
【００７５】
ＡｕＳＳの時間領域位置および／または周波数領域位置とセルアイデンティティなどのセル検出情報の要素との間に従属性を導入することによって、スモールセル環境において、異なるセルから送信される信号の間の相互干渉の問題を、それらが同じタイミングを使用する場合に回避することができる。
【００７６】
ＡｕＳＳは、プロパティの異なる値を使用して生成される２つのＡｕＳＳ信号が直交するような、例えば、ゼロのまたはゼロに近い相互相関を有するような方法で、生成することができる。例えば、ＡｕＳＳのプロパティは、巡回シフト（ＣＳ）の有限なセットのうちのザドフ−チュー（ＺＣ：Ｚａｄｏｆｆ−Ｃｈｕ）系列（シーケンス）の特定のＣＳを含むことができる。
【００７７】
ＺＣルート系列は、曖昧さを回避するために、ＰＳＳの生成においてすでに使用されている３つのルート系列と異なることができる。ＡｕＳＳのプロパティは、Ｎ個のコードｃｎの有限なセットのうちの特定の直交カバーコード（ＯＣＣ）も含むことができる。例えば、Ｎ＝２のＯＣＣコードをｃ０＝［＋１，＋１］およびｃ１＝［＋１，−１］と定義し、タイムスロットの２つの連続するタイムシンボルｔ０およびｔ１においてＡｕＳＳを生成することができ、第１のシンボルにおけるその値は、ｄ０＝ｆｃｎ（０）とすることができ、第２のシンボルにおけるその値は、ｄ１＝ｆｃｎ（１）とすることができ、ｆは、ＡｕＳＳに共通の信号、例えば、特定のＺＣ系列とすることができる。
【００７８】
ＡｕＳＳは、時間領域および周波数領域において定められるＮ個の部分から構成することができ、Ｎ−１個の部分は、ゼロ電力を有し、１個の部分は、非ゼロ電力を有する。この場合、プロパティは、時間領域および／または周波数領域におけるＮ個の可能な位置のうちのＡｕＳＳの非ゼロ電力部分の位置からなることができる。
【００７９】
ＡｕＳＳは、ＰＳＳまたはＳＳＳと同じ構造を有する信号の要素にブランキングパターンｂｐ（ｎ）を適用することによって構成することができる。例えば、ＡｕＳＳのために使用される系列ｄａ（ｎ）は、
ｄａ（ｎ）＝ｄ（ｎ）ｂｐ（ｎ）    （２）
と決定することができ、ここで、ｄ（ｎ）は、６２個のシンボルからなるＰＳＳ系列またはＳＳＳ系列とすることができ、ｂｐ（ｎ）は、Ｐ個の可能なブランキングパターンのセットのうちのブランキングパターン（ｐ）とすることができる。
【００８０】
ＡｕＳＳは、プロパティの異なる値を使用して生成される２つのＡｕＳＳ信号が低い相互相関を有するような方法で生成することができる。例えば、ＡｕＳＳのプロパティは、その生成のために使用される可能なザドフ−チュールート系列の有限なセットのうちの特定のＺＣルート系列を含むことができる。このセット内のザドフ−チュールート系列は、曖昧さを回避するために、ＰＳＳの生成のために使用される系列と異なることができる。
【００８１】
ＡｕＳＳの異なる送信インスタンスの間にプロパティのホッピングを導入することができる。そのようなホッピングは、特定のセルからのＡｕＳＳ信号が同じ強い干渉源によってシステマティックに干渉されることを回避することによって、ロバスト性を改善することができる。複数のホッピングソリューションを設計することができる。例えば、プロパティパラメータＹを、（Ｎ（２）ＩＤなどの）セルアイデンティティパラメータＸと、新しいＡｕＳＳ送信においてインクリメントされる変数ｍとに対応付ける、ホッピング関数Ｙ＝ｆｈ（Ｘ，ｍ）を導入することができる。パラメータＹは、ＡｕＳＳの（またはＡｕＳＳの非ゼロ部分の）時間領域位置または周波数領域位置、ＺＣ系列のＣＳ、およびＺＣルート系列など、上で説明された少なくとも１つのプロパティを決定することができる。
【００８２】
ホッピングの一例では、ＡｕＳＳは、タイムスロット１０のタイムシンボル（２＋Ｙ）において送信することができ、Ｙは、入力パラメータＸ＝Ｎ（２）ＩＤの関数として、値０、１、または２の１つを取る、疑似ランダムまたはサイクリック関数とすることができ、ここで、Ｎ（２）ＩＤは、やはり値０、１、２の１つを取ることができる、物理レイヤアイデンティティパラメータであり、ｍは、フレーム番号に対応することができ、またはフレーム番号の関数とすることができる。
【００８３】
ホッピングの別の例では、ＡｕＳＳは、ｍによってインデックス付けされる送信インスタンスのサブセットにおいて送信することができる。Ｙのいくつかの値は、ＡｕＳＳのための送信の非存在（またはゼロ電力送信）に対応することができる。これは、ＡｕＳＳの他のセルの送信への干渉の量を低減させることができる。
【００８４】
ＷＴＲＵは、受信されたＡｕＳＳのプロパティに基づいてセル検出情報を決定するための様々な方法を実施することができる。例えば、ＷＴＲＵは、検出されたＡｕＳＳの時間領域位置からセルアイデンティティパラメータを決定することができる。ＷＴＲＵは、ＡｕＳＳが検出された、またはＡｕＳＳの非ゼロ電力部分が検出された、タイムスロット内のタイムシンボルｓを決定することによって、グループ内の物理レイヤアイデンティティＮ（２）ＩＤなど、セルアイデンティティパラメータの値を決定することができる。ＷＴＲＵは、セルが同期させられていることを示すネットワークインジケーション（表示）に場合によっては基づいて、サービングセルのタイミングから近隣セルのフレームタイミングを知ることができる。
【００８５】
例えば、ＡｕＳＳがタイムスロット１０のタイムシンボル（２＋Ｎ（２）ＩＤ）において送信されることが知られている場合、ＷＴＲＵは、Ｎ（２）ＩＤ＝ｓ−２と決定することができる。Ｎ（２）ＩＤの決定（および後続するＰＳＳの受信による可能な確認）に続いて、ＷＴＲＵは、ＳＳＳを受信することによって、セルアイデンティティグループＮ（１）ＩＤおよび残りのセル検出情報の識別を進めることができる。Ｎ（２）ＩＤの異なる値に対応するＡｕＳＳは、異なる時に送信することができ、互いに干渉しないようにすることができるので、Ｎ（２）ＩＤの決定は、ＰＳＳのみに依存するよりも迅速に、高い信頼性で行うことができる。
【００８６】
ＷＴＲＵは、検出されたＡｕＳＳの周波数領域位置からセルアイデンティティパラメータを決定することができる。ＷＴＲＵは、ＡｕＳＳが検出された周波数領域位置を決定することによって、Ｎ（２）ＩＤの値を、例えば、
【００８７】
【数２】
2016518772.tif 000004
【００８８】
と決定することができ、ここで、ｋは、検出されたＡｕＳＳが非ゼロ電力を有する最も低いサブキャリアとすることができる。いくつかの例におけるように、Ｎ（２）ＩＤの決定（および後続するＰＳＳの受信による可能な確認）に続いて、ＷＴＲＵは、ＳＳＳを受信することによって、セルアイデンティティグループＮ（１）ＩＤおよび残りのセル検出情報の識別を進めることができる。
【００８９】
ＷＴＲＵは、検出されたＡｕＳＳの周波数領域位置、検出されたＡｕＳＳの時間領域位置、ホッピング関数、および／またはフレームタイミングのうちの１または複数に基づいて、セルアイデンティティパラメータを決定することができる。ＷＴＲＵは、ＡｕＳＳが検出された時間領域位置または周波数領域位置パラメータＹ、および（フレームタイミングまたはタイムスロットタイミングに基づいた）送信インデックスｍを識別し、ホッピング関数Ｙ＝ｆｈ（Ｎ（２）ＩＤ，ｍ）に従って、送信インデックスがｍの場合の、位置ＹにおけるＡｕＳＳの送信をもたらすことができるＮ（２）ＩＤの値を導出することによって、Ｎ（２）ＩＤの値を決定することができる。
【００９０】
ＷＴＲＵは、ＰＳＳなど、別の同期信号から導出されたセルアイデンティティパラメータから、ＡｕＳＳの時間領域位置および／または周波数領域位置を決定することができる。ＷＴＲＵは、ＰＳＳなどの第１の信号から、またはグループ内の物理レイヤアイデンティティＮ（２）ＩＤなどの第１の補助信号ＡｕＳＳ１から、セルアイデンティティパラメータの値を決定することができる。ＷＴＲＵは、Ｎ（２）ＩＤに基づいて、補助信号ＡｕＳＳの（またはＡｕＳＳ１が検出された場合は、第２の補助信号ＡｕＳＳ２の）時間領域位置および／または周波数領域位置を決定することができる。ＷＴＲＵは、決定された時間領域位置および／または周波数領域位置において補助信号ＡｕＳＳを受信することから、セルアイデンティティグループＮ（１）ＩＤおよびフレームタイミングなどの、残りのセル検出情報を決定することができる。この例では、補助信号ＡｕＳＳは、時間領域位置および／または周波数領域位置を除いて、ＳＳＳと同じプロパティを有することができる。
【００９１】
ＷＴＲＵは、ＡｕＳＳの検出されたプロパティから、ＳＳＳなどの同期信号またはセル再アクティブ化のタイミングを決定することができる。例えば、ＷＴＲＵは、近隣セルのタイミングを初めは知らない場合、最初にＡｕＳＳを検出し、ＡｕＳＳの別の検出されたプロパティから情報（例えば、Ｎ（２）ＩＤ）を識別することによって、近隣セルのタイミングを決定することができる。その後、情報（例えば、Ｎ（２）ＩＤ）に対応するタイムシンボルから、タイムスロットの開始を決定することができる。例えば、ＷＴＲＵは、近隣セルにおけるタイムスロットが時刻ｔ０＝Ｔａｕｓｓ−（２＋Ｎ（２）ＩＤ）Ｔｍにおいて開始することを決定することができ、ここで、Ｔａｕｓｓは、ＡｕＳＳが開始したことが検出された時刻とすることができ、Ｔｍは、タイムシンボルの持続時間とすることができる。
【００９２】
ＷＴＲＵは、ＡｕＳＳがＰの周期で送信される場合、任意の時間期間Ｐの開始のタイミングを決定することができる。例えば、Ｐがフレーム持続時間（１０ｍｓ）に対応する場合、ＷＴＲＵは、フレームの開始を、ｔ０＝Ｔａｕｓｓ−（２＋Ｎ（２）ＩＤ）Ｔｍ−ｎｓＴｓと決定することができ、ここで、ｎｓは、ＡｕＳＳが送信されるフレーム内におけるタイムスロット番号とすることができ、Ｔｓは、タイムスロットの持続時間とすることができる。Ｐは、ＰＳＳおよびＳＳＳと同じ周期、例えば、５ｍｓとすることができる。その後、ＷＴＲＵは、セルアイデンティティグループ（Ｎ（１）ＩＤ）およびフレーム境界の検出を加速するために、ＳＳＳのタイミングを決定することができる。例えば、ＷＴＲＵは、時刻ｔＳＳＳ＝Ｔａｕｓｓ−（２＋Ｎ（２）ＩＤ）Ｔｍ＋Ｄｅｌｔａ（ＳＳＳ，ＡｕＳＳ）＋ｎＰにおいてＳＳＳの開始を受信することができると決定することができ、ここで、ｎは、整数とすることができ、Ｐは、５ｍｓとすることができ、Ｄｅｌｔａ（ＳＳＳ，ＡｕＳＳ）は、ＳＳＳの開始とＡｕＳＳが送信されるタイムスロットの開始との間の時間オフセットに対応するパラメータとすることができる。場合によってはＮ（２）ＩＤパラメータの検出を確認するためのタイミングおよびＰＳＳを決定するためにも、同様の方法を使用することができる。
【００９３】
ＷＴＲＵは、現在休止状態にあることができるセルから同期信号（ＰＳＳ／ＳＳＳ）および／または他の信号もしくはチャネル（例えば、ＣＲＳ、ＢＣＨ）を受信することができる時刻または近似的な時刻についての情報も、ＡｕＳＳのプロパティから決定することができる。そのような情報は、休止セルが、そのカバレージエリアに最近入ることができたＷＴＲＵをサポートするために、限られた持続時間の間、そのような信号の送信をときどき再開する場合に有益であることができる。ＷＴＲＵは、この情報を使用して、同期信号を検出するための受信手順を開始することができる時刻を決定することができる。ＷＴＲＵは、バッテリ消費を低減するために、この時刻まで受信手順を中断する（例えば、低活動状態に入る）ことができる。
【００９４】
例えば、特定の検出されたザドフ−チュー（ＺＣ）ルート系列、またはＺＣルート系列の特定の検出されたサイクリックシフトは、セルが休止状態に留まることができる最小持続時間を示すことができる。例えば、ＺＣルート系列、またはゴールド系列もしくは周波数領域位置などの他のプロパティの第１の値は、セルが少なくとも１０秒にわたって休止状態に留まることができることを示すことができる。この値を検出した後、ＷＴＲＵは、アイドルモードにある場合は、１０秒にわたって低活動状態に入ることができ、その後、同期信号をモニタリングするための受信手順を開始し、続いて、セルのシステム情報を獲得することができる。ＺＣルート系列の第２の値は、セルが少なくとも２０秒にわたって休止状態に留まることができることを示すことができる。他の値は、様々な長さの休止期間を示すことができる。
【００９５】
ＷＴＲＵは、ＡｕＳＳから識別されたＺＣルート系列またはＣＳに基づいて、セルまたはＰＳＳ／ＳＳＳの動作周波数を決定することができる。ＷＴＲＵは、特定のＺＣルート系列またはＺＣ系列の特定のＣＳなど、検出されたＡｕＳＳのプロパティに基づいて、セルが動作している周波数を決定することができる。ＷＴＲＵは、セルと関連付けられた同期信号（ＰＳＳ／ＳＳＳ）を受信することができるキャリア周波数も決定することができる。例えば、ＷＴＲＵは、検出されたＡｕＳＳに対応するセルが、ＣＳの第１の値が検出された場合は第１の周波数上で、またはＣＳの第２の値が検出された場合は第２の周波数上で動作していると決定することができる。ＷＴＲＵはまた、ＣＳのある値が検出された場合は、セルがサービングセルと同じ周波数上で動作していると決定することができる。プロパティのある値に対応する動作周波数は、ネットワークによって示すことができる。
【００９６】
ＷＴＲＵは、ＡｕＳＳのパラメータに基づいて、セルの状態を決定することができる。セルは、ＡｕＳＳ構成の複数のセットを用いるように構成することができる。セットは、動作状態（例えば、セルがアクティブか、それとも休止か）をＷＴＲＵに暗黙的に示すことができる。例えば、ＡｕＳＳは、１つのタイムスロットでは、事前構成されたシンボル内で送信することができ、別のタイムスロットには、ＡｕＳＳのために使用することができる２以上のタイムシンボル（例えば、ｓ１およびｓ２）が存在することができ、これらはすべて、同じセルアイデンティティＮ（２）ＩＤにマッピングされる。シンボルのどれがＡｕＳＳ送信のために使用されるかは、セルのアクティブ状態または休止状態を示すことができる。例えば、タイムスロットのタイムシンボル（２＋Ｎ（２）ＩＤ）に配置されたＡｕＳＳは、ある状態（例えば、アクティブ）を示すことができ、タイムシンボル（５＋Ｎ（２）ＩＤ）に配置されたＡｕＳＳは、別の状態（例えば、休止）を示すことができる。
【００９７】
ＡｕＳＳは、その１または複数がＮ（２）ＩＤとともにセルの状態を識別することができる、周波数領域帯域の複数のセット上で検出することができる。ＡｕＳＳのために使用される６２個のシンボル内で、セルの状態を示すために、異なるブランキングパターンｂｐ（ｎ）を使用することができる。例えば、１つの状態を示すために、奇数（または偶数）サブキャリアが、ＡｕＳＳを含むことができ、偶数（または奇数）サブキャリアは、ブランクのままにしておくことができる。
【００９８】
可能な各状態に対してＡｕＳＳの異なるホッピング関数が存在することができる。ＷＴＲＵは、セルの状態を決定するために、複数のホッピング仮定の下でＡｕＳＳを復号しようと試みることができる。
【００９９】
異なるＺＣルート系列および／またはサイクリックシフトの使用によって、セルの状態をＷＴＲＵに示すことができる。そのようなセルのために使用されるＡｕＳＳリソースは、状態にかかわらず、一定であることができるが、使用される系列は、ＷＴＲＵにセルの状態を暗黙的に示すことができる。
【０１００】
ｅＮＢは、近隣セルから受信された信号の検出に基づいて、休止セルのためのＡｕＳＳを送信することができる。そのカバレージエリアの下で、他のセルまたは休止状態にない他のセルがサービスを提供することができないという条件において、休止状態にあるセルから（または任意の状態にあるセルから）１または複数のＡｕＳＳを送信することができる。この場合、カバレージホールの生成を回避するために、ＡｕＳＳを送信することができる。
【０１０１】
セルのためのＡｕＳＳを送信すべきかどうかを決定するために、ｅＮＢは、ダウンリンクリソース（例えば、周波数帯域および／またはサブフレーム）において受信を開始して、そのセルの送信のために使用される送信ポイントが、例えば、別のｅＮＢに属する別のセルのカバレージの下にあるかどうかを検出することができる。一定の基準を満たす別のセルからの信号を十分に高い品質で受信することができる場合、ｅＮＢは、休止セルのカバレージの下のほとんどのＷＴＲＵが、この他のセルからの信号を検出することができ、カバレージホールは生成されないであろうと仮定することができる。例えば、ｅＮＢは、他のセルが十分なカバレージを提供しているかどうかを決定するために、同期信号（例えば、ＰＳＳ／ＳＳＳ）、セル固有参照信号、および／または別のセルからのＡｕＳＳのうちの１または複数を測定／検出しようと試みることができる。例えば、ｅＮＢは、受信された信号が品質閾値または信号強度閾値を上回るかどうかを決定することができる。別のセルからのＢＣＨおよび／またはシステム情報を復号することができ、近隣セルが同じＰＬＭＮの一部であるかどうか、または少なくとも１つのトラッキングエリアをセルと共有するかどうかを決定することができる。ｅＮＢは、休止状態に移行することができると決定する前に、十分なカバレージを提供する近隣セルが休止状態にないことも決定することができる。
【０１０２】
ＷＴＲＵは、例えば、対応するＰＳＳ／ＳＳＳを識別する代わりに、ＡｕＳＳを識別することに基づいて、セルの状態を決定することができる。状態は、例えば、休止状態もしくはアクティブ状態の一方、またはオン状態もしくはオフ状態の一方とすることができる。例えば、ＷＴＲＵは、セルのためのＡｕＳＳの測定が、測定構成の一部とすることができる一定の基準を満たす場合、セルがオフ状態にあると決定することができる。例えば、いくつかのセルは、全体的な干渉を低減するために、および／またはエネルギー節約を可能にするために、制限された送信を有することができる。例えば、セルは、ＡｕＳＳおよび制限されたセル固有参照信号を送信することができる。例えば、ＷＴＲＵによる測定を可能にするために、ＡｕＳＳの目的を制限することができる。干渉のさらなる低減、および／またはエネルギー節約ゲインを可能にするために、１または複数のフレームにおいて、ＡｕＳＳを省くことができる。セルは、ＡｕＳＳを含むことができる、特定のパターンを有するフレームの事前構成されたサブセットを使用することができる。セルは、その現在の状態を示すために、ＡｕＳＳのためのフレームの異なるサブセットを割り当てられること、または選択することができる。例えば、休止状態にあるセルは、３フレームごとにＡｕＳＳを送信することができる。アクティブ状態にある同じセルは、１または複数のフレーム（例えば、すべてのフレーム）においてＡｕＳＳを送信することができる。ＷＴＲＵは、複数のフレーム（例えば、３つのフレーム）をモニタリングして、ＡｕＳＳの周期を決定することができ、これから、セルの状態を決定することができる。さらに、セルの状態は、ＷＴＲＵに、セルが送信するセル固有参照信号のタイプばかりでなく、そのようなセル固有参照信号のための適切なリソースも暗黙的に示すことができる。
【０１０３】
ＰＳＳ／ＳＳＳが送信されるかどうかＷＴＲＵが確かではない場合、ＡｕＳＳを２つの部分に、例えばＡｕＳＳ１とＡｕＳＳ２に分割することができる。ＡｕＳＳ１は、１または複数のフレーム（例えば、すべてのフレーム）内に、または事前決定されたパターンのフレーム内に含まれることができる。（ＲＥマッピングおよび系列構成を含む）ＡｕＳＳ２のために使用されるリソースの１または複数のセットは、フレーム内におけるＡｕＳＳ１の位置（例えば、ＯＦＤＭシンボルおよび／もしくはサブキャリア）、ＡｕＳＳ１のＺＣルート系列もしくはサイクリックシフト、ＡｕＳＳ１の特定の要素の位置、例えば、ゼロ電力リソースの位置、ならびに／またはＡｕＳＳ１のコンテンツのうちの１または複数によって、ＡｕＳＳ１においてＷＴＲＵに示すことができ、例えば、ＡｕＳＳ１のいくつかのＷＴＲＵは、ＡｕＳＳ２構成情報を含むことができる。
【０１０４】
ＷＴＲＵは、その後、リソースの複数のセット上でＡｕＳＳ２を復号しようと試みることができる。ＡｕＳＳ２の復号に成功した場合、ＷＴＲＵは、リソースのどのセットがＡｕＳＳ２のために使用されたかに基づいて、セルの状態を暗黙的に決定することができる。例えば、ＡｕＳＳ２のためのリソースの１つのセットは、ＰＳＳおよび／またはＳＳＳリソースとすることができ、これは、セルがアクティブ状態にあることをＷＴＲＵに示すことができる。
【０１０５】
ＷＴＲＵは、ＡｕＳＳまたは発見信号から、例えば、ＡｕＳＳまたは発見信号の１または複数の態様の関数として、セルのためのＰＲＡＣＨリソース構成を決定することができる。例えば、ＷＴＲＵは、対象セルのためのＰＲＡＣＨリソースと関連付けられたＰＲＢのセットを、検出されたＡｕＳＳまたは発見信号の周波数領域位置からのオフセットとして決定することができる。ＷＴＲＵは、対象セルのためのＰＲＡＣＨリソースのタイミング、例えば、ＰＲＡＣＨリソースが利用可能であることができるサブフレームを、検出されたＡｕＳＳまたは発見信号の時間領域位置からのオフセットとして決定することができる。ＷＴＲＵは、対象セルのためのＰＲＡＣＨリソースについてのオフセット（例えば、周波数領域および／または時間領域オフセット）の値を、検出されたＡｕＳＳまたは発見信号のプロパティの関数として決定することができる。例えば、ＷＴＲＵは、プリアンブル送信のために使用するＰＲＡＣＨリソースを、ザドフ−チュー（ＺＣ）系列（例えば、サイクリックシフト、ルート系列）、検出されたＡｕＳＳもしくは発見信号についての特定の直交カバーコード（ＯＣＣ）、時間領域および／もしくは周波数領域における検出されたＡｕＳＳもしくは発見信号の非ゼロ電力部分の位置、検出されたＡｕＳＳもしくは発見信号についてのホッピングパターン、ならびに／または検出されたＡｕＳＳもしくは発見信号と関連付けられたセルアイデンティティ（例えば、物理セルアイデンティティ）など、プロパティの１または複数についての関数として決定することができる。例えば、ＷＴＲＵは、対応するＰＲＡＣＨリソースを、プロパティを使用することによって、事前構成されたテーブルにおける、またはネットワークによって受信された構成におけるインデックス関数として決定することができる。構成は、発見信号のためのプロパティの値を定める発見リソースと関連付けられたＰＲＡＣＨリソースを含むことができる。ＷＴＲＵは、例えば、対応するＡｕＳＳまたは発見信号を検出したときに、その存在をｅＮＢに示すために、ＰＲＡＣＨ構成を使用して、プリアンブルを送信することができる。
【０１０６】
発見信号は、フレームまたはサブフレームのどちらに基づいてセルが同期させられているかに依存することができる、異なるサブフレームパターンに従って、送信することができる。ＰＳＳ、ＳＳＳ、ＡｕＳＳ、ＣＲＳ、またはそれらの組み合わせなどの発見信号を検出しようと試みる場合、ＷＴＲＵは、サービングセルの信号に対するタイミングに応じて、受信された信号に異なる処理を行うことができる。
【０１０７】
例えば、ＷＴＲＵは、サービングセルのＰＳＳ／ＳＳＳまたはＡｕＳＳが受信された、サブフレーム内およびタイムシンボル内で、例えば、干渉キャンセルを使用して（例えば、他の信号の検出を改善するために、存在することが知られているサービングセルのＰＳＳ／ＳＳＳまたはＡｕＳＳを抑制または減算して）、近隣セルの同期信号（例えば、ＰＳＳ、ＳＳＳ、またはＡｕＳＳ）を検出しようと試みることができる。検出の試みは、平均することなく、サブフレーム内の（例えば、単一のサブフレーム内の）信号を測定することによって実行することができる。他のサブフレームについては、サービングセルと同期させられていない近隣セルのＰＳＳ／ＳＳＳまたはＡｕＳＳが存在することがあると、ＷＴＲＵは仮定することができる。ＷＴＲＵは、ロバスト性を改善するために、近隣セルのＰＳＳ／ＳＳＳまたはＡｕＳＳが、知られた時間間隔でＮ回（例えば、５ｍｓおよび／また１０ｍｓ後）繰り返されることができると仮定することができ、これらＮ個のフレームから受け取った信号を使用することによって検出を試みることができる。
【０１０８】
ネットワークインジケーションからセル検出情報を決定することができる。ＷＴＲＵは、近隣セルから受信するＡｕＳＳもしくは発見信号の検出を支援するために、または測定を実行するために、情報を利用することができる。その情報のいくつかは、近隣セルからのＰＳＳ信号およびＳＳＳ信号の検出を支援するためにも使用することができる。ネットワークによるインジケーション（表示）は、無線リソース制御（ＲＲＣ）などのより高位のレイヤのシグナリングによって、システム情報から、または接続モードにある場合は専用シグナリングから提供することができる。例えば、情報は、測定構成の情報要素部分として提供することができる。ＷＴＲＵは、物理レイヤシグナリングからも情報を受信することができる。例えば、ＷＴＲＵは、ＰＤＣＣＨまたはＥ−ＰＤＣＣＨから受け取られるダウンリンク制御情報のフィールドの値から、より高位のレイヤによって構成された可能な値のセットのうちの１つを決定することができる。
【０１０９】
ＷＴＲＵは、近隣セルから受信されるＡｕＳＳの検出を支援するために、ＡｕＳＳまたは発見信号の存在に関する情報を使用することができる。ＷＴＲＵは、少なくとも１つのＡｕＳＳ信号または発見信号を少なくとも１つの近隣セルから受信することができることを、ネットワークによって明示的に示されることができる。ＷＴＲＵは、これを、レイヤにおけるセルの示されたタイプもしくはＷＴＲＵが動作する周波数、サービングセルもしくは近隣セルが新しいもしくは強化されたキャリアタイプ（例えば、ＮＣＴ）をサポートすることができるかどうか、またはサービングセルが通常のもしくは拡張されたサイクリックプレフィックスをサポートすることができるかどうかなど、他の情報から暗黙的に導出することができる。
【０１１０】
ＷＴＲＵは、近隣セルから受信されるＡｕＳＳまたは発見信号の検出を支援するために、同期またはフレームタイミングに関する情報も使用することができる。ＷＴＲＵは、近隣セルがフレームレベルもしくはサブフレームレベルでサービングセルと同期させられていると仮定されるか（もしくはされないか）もしくは仮定することができるか（もしくはできないか）を、ネットワークによって明示的に示されることができ、またはこれを、レイヤにおけるセルの示されたタイプもしくはＷＴＲＵが動作する周波数など、別のインジケーション（表示）から導出することができる。ＷＴＲＵは、サービングセルと近隣セルの間にシステムフレーム番号（ＳＦＮ）における同期が存在するかどうかを、ネットワークによって明示的に示されることができる。ＷＴＲＵは、ＡｕＳＳ信号または発見信号が存在する場合、サブフレーム、フレーム、またはＳＦＮレベルでのサービングセルとの同期が存在すると仮定することができる。
【０１１１】
ＷＴＲＵは、特定の、例えば、規定された時間窓において、近隣セルの発見信号またはＡｕＳＳの検出を試みることができる。時間窓は、サービングセルの第１の発見信号の受信時刻の前に、一定の持続時間を開始することができ、サービングセルの第２の発見信号の受信時刻の後に、一定の持続時間を終了することができる。第１の発見信号および第２の発見信号は、同じとすることができ、または短い持続時間にわたって送信されるＰＳＳ／ＳＳＳおよびＣＲＳを含むことができる発見信号のグループの開始および終了に対応することができる。これは、セルとの間の同期を高いレベルの正確性で実現する必要がない間、ＷＴＲＵのための過剰な電力消費を回避することができる。
【０１１２】
ＷＴＲＵは、近隣セルから送信される発見信号がサービングセルからの発見信号と同時に送信されると仮定することができることを、ネットワークによって示された場合、これらの時間窓内での検出を試みることができる。このインジケーション（表示）は、そのアイデンティティ（識別）を測定構成の一部として提供することができる特定のセルについて提供することができる。
【０１１３】
ＷＴＲＵは、近隣セルから受信されるＡｕＳＳまたは発見信号の検出を支援するために、ＡｕＳＳまたは発見信号の可能な時間領域位置および／または周波数領域位置のセットに関する情報も使用することができる。ＷＴＲＵは、ＡｕＳＳまたは発見信号を受信することができる時間領域位置または周波数領域位置のセットを、ネットワークによって明示的に示されることができる。この情報は、サービングセルの時間基準で表すことができ、または同期が仮定される場合は等価的に、近隣セルの時間基準で表すことができる。例えば、ＷＴＲＵは、ＡｕＳＳまたは発見信号が、特定のフレーム内またはフレームの示されたセット内のタイムスロット＃０および＃１０のシンボル＃２、＃３、および＃４内に存在することができることを示されることができる。ＷＴＲＵは、ＡｕＳＳまたは発見信号が、特定のＰＲＢを中心に配置されたサブキャリア内に存在することができることも示されることができる。
【０１１４】
ＷＴＲＵは、発見信号のセットを送信することができるサブフレームのパターンの開始時刻を示されることができる。開始時刻は、サービングセルにおける発見信号のセットの開始時刻に対して、例えば、サブフレームを単位として、表すことができる。
【０１１５】
インジケーションは、ダウンリンク制御情報（ＤＣＩ）から提供することができる。この場合、このＤＣＩの受信タイミングは、ＡｕＳＳまたは発見信号の時間領域位置を暗黙的に示すことができる。例えば、ＤＣＩ受信からサブフレームｋ０個後に、ＡｕＳＳまたは発見信号を検出することができる。
【０１１６】
ＷＴＲＵは、近隣セルから受信されるＡｕＳＳまたは発見信号の検出を支援するために、セルアイデンティティパラメータＮ（１）ＩＤまたはＮ（２）ＩＤに関する情報も使用することができる。ＷＴＲＵは、近隣セルのグループ内の物理レイヤアイデンティティＮ（２）ＩＤを明示的に示されることができる。これは、ＰＳＳを最初に検出することを必要とせずに、ＳＳＳからのセルアイデンティティグループＮ（１）ＩＤ（したがって、セルアイデンティティＮＩＤ）の識別を可能にすることによって、ＷＴＲＵが検出をスピードアップすることを可能にすることができる。
【０１１７】
ＷＴＲＵは、近隣セルのセルアイデンティティグループまたはセルアイデンティティグループのセットＮ（１）ＩＤを明示的に示されることができる。これは、ＳＳＳを検出することを必要とせずに、ＰＳＳからのＮ（２）ＩＤに属するセルアイデンティティの識別を可能にすることによって、ＷＴＲＵが検出をスピードアップすることを可能にすることができる。このソリューションは、ＷＴＲＵが（例えば、同期のインジケーションに基づいて）近隣セルのフレームタイミングを決定することを可能にするソリューションと組み合わることによって、特に有益であることができる。
【０１１８】
ＷＴＲＵは、近隣セルから受信されるＡｕＳＳまたは発見信号の検出を支援するために、サイクリックプレフィックスに関する情報も使用することができる。ＷＴＲＵは、近隣セルのためのものと仮定することができるサイクリックプレフィックスを、ネットワークによって明示的に示されることができる。ＷＴＲＵは、ＡｕＳＳまたは発見信号を検出することができる近隣セルのサイクリックプレフィックスがサービングセルにおけるものと同じであると仮定することができる。ＷＴＲＵは、サービングセルのサイクリックプレフィックスが、例えば、通常のサイクリックプレフィックスのための、あるタイプに属する場合、近隣セルのＡｕＳＳまたは発見信号の検出を試みることができる。
【０１１９】
ＷＴＲＵは、ＡｕＳＳまたは発見信号のプロパティを記述するいくつかまたはすべてのパラメータを含むことができる発見リソースを提供されることができる。例えば、発見リソースは、キャリア周波数、キャリア内でのリソースブロック割り当て、サブフレーム構成（例えば、信号が存在するサブフレームのセット）、リソース構成（例えば、サブフレーム内のリソース要素のセット）、および／または系列を初期化するために使用されるパラメータなどの情報を含むことができる。
【０１２０】
ＷＴＲＵは、レイヤ内における発見リソースまたは発見リソースのグループと関連付けられたＰＲＡＣＨ構成を用いるように構成することができる。ＷＴＲＵは、対応するＡｕＳＳまたは発見リソースを検出したときに、ＰＲＡＣＨ構成を使用して、プリアンブルを送信すること、例えば、その存在をｅＮＢに示すことができる。
【０１２１】
ＷＴＲＵは、ＡｕＳＳまたは発見信号の測定を実行することができる。例えば、ＷＴＲＵは、少なくとも１つのＡｕＳＳもしくは発見信号、または発見信号もしくはＡｕＳＳと関連付けられた参照信号から、信号強度、品質、および／または干渉の測定を実行することができる。測定は、例えば、ＲＳＲＰまたはＲＳＲＱに類似しているが、ＣＲＳの代わりに、場合によってはＣＳＩ−ＲＳなどの参照信号、発見信号、またはＡｕＳＳ上で定められる測定を含むことができる。そのような測定は、ＤＳ−ＲＳＲＰおよび／またはＤＳ−ＲＳＲＱと呼ばれることがある。測定は、例えば、ＣＳＩ−ＩＭリソースなどのリソース上で測定されるエネルギーとして定義される干渉の測定を含むことができる。測定は、少なくとも１つの参照信号および場合によっては少なくとも１つの干渉測定リソースから定められる信号対干渉および雑音比（ＳＩＮＲ）の測定を含むことができる。例えば、そのような測定値は、ＲＳＲＰと干渉の測定値との比として定めることができる。
【０１２２】
ＷＴＲＵは、信号のセットのうちの１または複数の信号についての１または複数の測定を実行するようにネットワークによって構成することができる。信号についての情報は、発見リソースにおいて提供することができる。情報は、キャリア周波数、キャリア内でのリソースブロック割り当て、サブフレーム構成（例えば、信号が存在するサブフレームのセット）、リソース構成（例えば、サブフレーム内のリソース要素のセット）、および／または系列を初期化するために使用されるパラメータなどの情報を含むことができる。発見リソースは、休止状態にあることができるセルから、または通常もしくはアクティブ状態にあることがあるが、休止状態に入ることができるセルから送信される信号に対応することができる。セルが休止状態にある間のそのような測定の実行は、例えば、活動の再開時に、そのセルをウェイクアップさせて使用するためのより迅速な決定を可能にすることができる。
【０１２３】
ＷＴＲＵは、最近の負荷状態、例えば最新の負荷状態を反映した測定を提供するために、参照信号受信電力（ＲＳＲＰ）とＥ−ＵＴＲＡキャリアの受信信号強度インジケータ（ＲＳＳＩ）に対して異なる測定期間を適用することができる。ネットワークは、例えば、最近の過去の状態の平均に基づく代わりに、瞬間の状態に基づいて、割り当て決定を行うことができることがある。ＷＴＲＵは、（例えば、ＲＳＲＱまたはＳＩＮＲの分子でも使用される）受信信号ＲＳＲＰに対しては第１の測定期間を使用して、またＲＳＳＩ、および／またはＣＳＩ−ＩＭに基づいた干渉測定に対しては第２の測定期間を使用して、ＲＳＲＰ、ＲＳＲＱ、ＲＳＳＩ、ＳＩＮＲ、および／またはＣＳＩ−ＩＭ上の干渉の測定を実行することができる。第１の測定期間は、ＷＴＲＵが、セルの参照信号受信電力のフェージングにわたる平均を推定することができるように、第２のものよりも長くすることができる。ＤＳ−ＲＳＲＰおよび／またはＤＳ−ＲＳＲＱに対しても同様の例を適用することができ、ＤＳ−ＲＳＲＱは、ＲＳＲＰの代わりにＤＳ−ＲＳＲＰを分子に使用することができる。
【０１２４】
ＷＴＲＵは、ＡｕＳＳまたは発見信号の検出時に、１または複数のアクションを実行することができる。ＷＴＲＵは、例えば、関連するスモールセルの動作周波数のものとは異なる周波数において、例えば、（例えば、マクロ同一チャネル検出の場合）マクロセルの周波数において、ＡｕＳＳまたは発見信号をモニタリングするように構成することができる。例えば、ＷＴＲＵは、対象セルのためのＰＳＳ／ＳＳＳの受信を実行することなく、別の周波数において１または複数のスモールセルの存在を検出するように（例えば、これは発見レポートのトリガとなることができる）構成することができる。ＷＴＲＵは、ＡｕＳＳまたは発見信号の検出の成功に続いて、対象セルのためのＰＳＳ／ＳＳＳの受信を試みるように構成することができる。ＷＴＲＵは、その後、ＰＳＳ／ＳＳＳの獲得に失敗した場合、セルが休止状態にあると決定することができる（例えば、これは発見レポートのトリガとなることができる）。これは、本明細書で開示されるような、発見リソース上での測定を開始するためのトリガとなることができる。
【０１２５】
ＷＴＲＵは、ＷＴＲＵが異なる周波数／帯域においてサービングセルに接続されているかどうかとは無関係に（例えば、マクロの存在とは無関係に）、（例えば、単一レイヤ検出の場合）関連するスモールセルの動作周波数において、発見リソースをモニタリングするように構成することができる。例えば、ＷＴＲＵは、その周波数において１または複数のスモールセルの存在を検出し、対象セルのＰＳＳ／ＳＳＳの受信を実行することができる。
【０１２６】
測定構成およびレポーティングを実行することができる。ＷＴＲＵは、少なくとも１つの測定アイデンティティ、例えば、１つのレポーティング構成と結び付けられた１つの測定対象を含むことができる測定構成を用いるように構成することができる。
【０１２７】
キャリア周波数に加えて、また場合によってはセル固有のオフセットのリストおよびブラックリストセルのリストにも加えて、測定対象は、例えば、ＡｕＳＳまたは発見信号エントリなど、１または複数の発見リソースのリストを含むことができる。エントリは、少なくとも１つのＡｕＳＳまたは発見信号プロパティを含むことができる。測定対象構成の各許可されたセルに対して１つのそのようなＡｕＳＳエントリが存在することができる。ＡｕＳＳプロパティは、セルアイデンティティ、時間領域位置、セルの状態（例えば、休止またはアクティブ）、および／またはＡｕＳＳのための周波数領域位置などの、セル検出情報に対応することができる。例えば、ＷＴＲＵは、例えば、測定レポートが、例えば、報告されたアイデンティティ（識別）に基づいて、セルの状態を示すことができるように、セルの状態を含むことができる測定対象のためのレポーティング構成を用いるように構成することができる。ＷＴＲＵは、ホワイトリストセルのセットに対応することができるリストを用いるように構成することができる。そのような構成は、ＡｕＳＳまたは発見信号もしくは発見リソースと関連付けられたセルのタイプ（例えば、セルが、ＲＳＲＰ測定のために使用することができる、セル固有ＣＲＳなどのレガシ構造を使用するか、それともＡｕＳＳを含むことができる、測定のための参照信号の代替セットを使用するか）などの情報も含むことができる。
【０１２８】
ＷＴＲＵは、例えば、すべての発見リソースのための測定閾値のセット、または発見リソースごとの測定閾値のセットを用いるように構成することができる。ＷＴＲＵは、その構成のサービングセル（例えば、Ｓｃｅｌｌ）に対して測定を実行するために特定の発見リソースを使用するように構成することができる。そのようなシナリオなどでは、この発見リソース上で実行される測定は、例えば、その周波数においてＳｃｅｌｌよりも良好になった近隣セルの検出に対応する測定イベント（Ａ６）において、測定トリガおよびレポーティングの目的で、対応する周波数上におけるサービングセルの測定として使用することができる。そのような構成は、例えば、アクティブ化または非アクティブ化されたＳｃｅｌｌが休止状態に入ることができるシナリオにおいて、有益であることができる。ＷＴＲＵは、シナリオの中でもとりわけ、おそらく、例えば、構成された測定イベントが発生したかどうかを決定する場合に、異なるタイプの測定の値どうしを比較することができる。ＷＴＲＵは、Ｓｃｅｌｌのための（ＤＳ−ＲＳＲＰなどの）発見信号のために定義することができる測定タイプの値を使用することができ、シナリオの中でもとりわけ、おそらく、例えば、イベントＡ６がトリガされたかどうかを決定する目的で、この値を、近隣セルのためのＲＳＲＰなどのレガシ測定タイプの値と比較することができる。例えば、ＤＳ−ＲＳＲＱとＲＳＲＱの間でも、同じことを適用することができる。
【０１２９】
例えば、ＷＴＲＵは、ＷＴＲＵが対応する発見リソースの検出に成功した場合、および／または発見リソース測定が構成された基準（例えば、測定閾値）を満たし、その発見リソースが少なくとも制限されたセルアイデンティティのセットの一部もしくはホワイトリストセルアイデンティティのセットの一部ではなく、または許可されたクラスタに対応する場合、測定の実行を開始することができ、および／または発見リソースを含む測定対象のための測定レポートをレガシ手順通りにトリガすることができる。
【０１３０】
レポーティング構成は、イベントトリガおよび／またはレポーティングフォーマットなど、発見リソースに固有のイベントまたは構成を含むことができる。１つのイベントトリガは、近隣セルが閾値よりも良好になることができ、その近隣セルを適切なＡｕＳＳまたは発見信号によって検出することができる（例えば、ＡｕＳＳまたは発見信号が検出され、そのセルについてのレポーティングが許可される）こととすることができる。別のイベントトリガは、近隣セルが閾値よりもオフセット分だけ良好になることができ、その近隣セルを適切なＡｕＳＳまたは発見信号によって検出することができる（例えば、ＡｕＳＳまたは発見信号が検出され、そのセルについてのレポーティングが許可される）こととすることができる。レポーティング構成は、レポーティングフォーマットを含むことができ、例えば、ＷＴＲＵは、イベントをトリガしたセルのアイデンティティ、および／または対応する発見リソースと関連付けられたインデックスを報告することができる。ＷＴＲＵは、例えば、サービングセルのタイミングに対する、ＡｕＳＳまたは発見信号のタイミング情報を報告することができる。ＷＴＲＵは、最初に発見リソース内でＡｕＳＳまたは発見信号を検出し、検出されたセルに対して適用可能な測定を実行することによって、ＡｕＳＳまたは発見信号についてのそのような拡張に従った測定を実行することができる。
【０１３１】
検出構成およびレポーティングは、ＡｕＳＳまたは発見信号について実行することができる。ＷＴＲＵは、ＡｕＳＳまたは発見信号の受信のために構成することができる。加えて、ＷＴＲＵは、検出レポーティング構成を用いて構成することができる。そのような構成は、ＷＴＲＵが、ＡｕＳＳまたは発見信号の検出に成功したときに、検出レポートの送信をトリガすることができるかどうかを決定することを可能にすることができる。これは、例えば、ＡｕＳＳ自体から、および／または対応するＡｕＳＳのためのＰＳＳ／ＳＳＳの獲得から、および／または発見信号もしくは発見リソース上で取得された測定値から導出されるセル検出情報の関数とすることができる。
【０１３２】
発見リソース検出対象のリストは、例えば、アイデンティティを使用して、インデックス付けすることができる。ＷＴＲＵは、ＡｕＳＳまたは発見リソース検出構成のアクティブ化状態を変更することができる制御シグナリングを受信することができる。例えば、そのような制御シグナリングは、ＰＤＣＣＨ上のＤＣＩにおいて、またはＭＡＣ  ＣＥとして受信することができる。制御シグナリングは、適用可能なＡｕＳＳまたは発見リソース検出対象に対するインデックスを含むことができる。
【０１３３】
ＷＴＲＵは、検出されたＡｕＳＳまたは発見リソースが、（例えば、物理セルアイデンティティ、セルアイデンティティ、リソースのセットからの受信されたＡｕＳＳもしくは発見信号に対するインデックス、および／もしくはＡｕＳＳに基づいた）特定のセル、検出されたＡｕＳＳと関連付けられた特定のクラスタ（クラスタＩＤ）、検出されたＡｕＳＳと関連付けられたセルのタイプ（例えば、セルがレガシタイプに属するか、それとも異なるタイプに属するか）、ならびに／または測定量などのうちの１または複数に対応すると決定した場合、検出レポートをトリガすることができる。
【０１３４】
ＡｕＳＳまたは発見信号のためのそのような構成は、ＡｕＳＳ検出対象、ＡｕＳＳもしくは発見信号レポーティング構成、ＡｕＳＳもしくは発見信号検出アイデンティティ、および／またはＡｕＳＳ測定ギャップ構成のうちの１または複数を含むことができる。ＡｕＳＳ検出対象は、本明細書で開示されるそれらに従った、ＡｕＳＳの１または複数のプロパティを含むことができる。例えば、これは、周波数、および／またはＡｕＳＳリソースに対するインデックスのうちの１または複数を含むことができる。ＷＴＲＵは、対象構成を使用して、ＡｕＳＳの検出をどこで試みることができるかを決定することができ、例えば、対象は、ホワイトリストＡｕＳＳおよび／もしくはセルのリスト、またはブラックリストＡｕＳＳおよび／もしくはセルのリストを含むことができる。
【０１３５】
ＡｕＳＳまたは発見信号レポーティング構成は、レポーティング基準のリストに対応することができる。例えば、これは、（例えば、上述の検出対象によって提供されない場合）発見リソースに対するインデックス、セルアイデンティティ、クラスタアイデンティティ、および／またはセルタイプのうちの１または複数を含むことができる。加えて、ＡｕＳＳまたは発見信号レポーティング構成は、ＡｕＳＳまたは発見信号検出が成功したかどうかを決定するために、ＰＳＳ／ＳＳＳの獲得に成功する必要があることがあるかどうかを含むことができる。ＷＴＲＵは、ＡｕＳＳまたは発見信号を検出すると、検出レポートの送信をトリガすることができるかどうかを決定するために、レポーティング構成を使用することができる。追加の基準は、定期的なまたは単一のイベント記述を含むことができる。加えて、そのような構成は、レポーティングフォーマット、例えば、報告すべき検出されたＡｕＳＳもしくは発見信号および／またはセルの数を含むことができる。構成は、測定閾値を含むことができる。ＷＴＲＵは、この構成を使用して、発見レポートの送信をトリガすることができるかどうか、例えば、発見リソース上で取得された測定値が絶対閾値を上回るかどうか、または基準点よりもオフセットだけ良好かどうかを決定することができる。
【０１３６】
ＡｕＳＳまたは発見信号検出アイデンティティは、検出対象をレポーティング構成と結び付けることができるアイデンティティのリストに対応することができる。例えば、ＷＴＲＵは、どの特定のＡｕＳＳまたは発見信号が報告されているかをネットワークが決定することができるように、本明細書で説明されるように、ＡｕＳＳまたは発見信号検出アイデンティティを検出レポーティング内に含めること、または測定レポート内にも含めることができる。
【０１３７】
ＡｕＳＳ測定ギャップ構成は、例えば、検出プロセスと関連付けることが、および／または検出プロセスとだけ関連付けることができる。例えば、これは、マクロレイヤに（例えば、マクロレイヤだけに）接続されるＷＴＲＵ、および／またはセル検出だけを目的としてＷＴＲＵが追加の送受信機チェーンをオンにする必要がないようにすることができるように、（例えば、接続されたマクロを用いる単一レイヤ検出ケースの場合に）ＡｕＳＳの周波数／帯域内で構成されたセルを有さないＷＴＲＵにとって有益とすることができる。
【０１３８】
ＷＴＲＵは、ＡｕＳＳまたは発見信号検出のための構成を使用して与えられた周波数において１または複数のセルの存在を検出するようにＷＴＲＵが構成され、ＰＳＳ／ＳＳＳが検出されない、例えば、ＷＴＲＵがＰＳＳ／ＳＳＳを獲得するように構成されていない、またはそうすることに失敗した、例えば、セルが休止状態にあることができる場合、検出レポートをトリガすることができる。ＷＴＲＵは、同様にまたは代わりに、ＡｕＳＳまたは発見信号検出のための構成を使用して与えられた周波数において１または複数のセルの存在を検出するようにＷＴＲＵが構成され、関連する測定が構成されない場合、検出レポートをトリガすることができる。ＷＴＲＵは、発見リソースを使用して与えられた周波数において１または複数のセルの存在を検出するようにＷＴＲＵが構成され、関連する測定が構成され、測定された発見リソースが測定構成基準を満たす場合、検出レポートをトリガすることができる。
【０１３９】
ＷＴＲＵは、例えば、ＷＴＲＵが検出レポートの送信をトリガする場合、または他のシナリオにおいて、ＷＴＲＵの構成のＳＲＢ、もしくはプリアンブル、またはＲＡＣＨ手順上でＲＲＣ  ＳＤＵの送信を開始することができる。
【０１４０】
ネットワークサイドについては、ネットワークノードは、ＡｕＳＳ検出レポートの受信から、検出された発見リソースに対応する１または複数のセルが休止状態からアクティブ状態に変化することができるかどうかを決定することができる。例えば、ネットワークノードは、そのようなセルが休止状態にあることをそれが示す受信された検出レポートから、そのような決定を行うことができる。状態のそのような変化は、レポートを受信したネットワークノードと１または複数の検出されたセルと関連付けられたｅＮＢとの間のＸ２または類似のインターフェース上で示すことができる。例えば、休止状態は、例えば、セルからＡｕＳＳが送信されるが、他の信号は送信されない状態とすることができる。例えば、アクティブ状態は、例えば、無線品質測定（例えば、ＲＳＲＰなど）に適することができる１または複数の参照信号（例えば、セル固有ＣＲＳなど）を送信することができる状態とすることができる。本明細書では、追加のネットワークアクションを開示することができる。
【０１４１】
ネットワークノードは、検出された発見リソースに対応する１または複数のセルについての測定の１または複数を実行するようにＷＴＲＵに命令することができるかどうかを、対象ＷＴＲＵのためにまだ構成されていない場合、および／またはそのような測定レポートが検出レポートと一緒に受信されなかった場合、検出レポートの受信から決定することができる。ネットワークノードは、同様にまたは代わりに、例えば、受信測定レポートが十分な無線品質を示す場合、検出された１または複数のセルのうちの１または複数をＷＴＲＵの構成に追加するＲＲＣ再構成を実行するようにＷＴＲＵに命令するかどうかを決定することができる。
【０１４２】
ＷＴＲＵは、非活動タイマが満了した場合、活動が再開するときに、測定レポートの送信をトリガすることができる。ＷＴＲＵは、非活動の期間の後、活動の再開時に、そのように構成されている場合は、少なくとも１つの発見リソースおよび場合によっては他のセルに適用可能な測定結果を含む測定レポートの送信をトリガすることができる。ＷＴＲＵは、ＰＵＳＣＨ上で送信する場合、またはＰＤＳＣＨもしくはＰＤＣＣＨ／Ｅ−ＰＤＣＣＨから受信する場合、タイマを、例えば、測定非活動タイマを開始または再開することができる。タイマがすでに動作していない場合、例えば、タイマが満了した場合、ＷＴＲＵは、測定レポートの送信をトリガすることができる。これは、活動の再開とネットワークがＷＴＲＵから測定値を獲得する時間との間の遅延を低減または最小化することができる。
【０１４３】
ＷＴＲＵは、初期アクセスおよびセル再選択などの、アイドルモード手順を実行することができる。ＷＴＲＵは、そのカバレージエリアに入ることができたＷＴＲＵをサポートするために一時的に送信を再アクティブ化した休止セルから、同期信号（例えば、ＰＳＳ／ＳＳＳ）を受信し、システム情報を獲得することができる。
【０１４４】
ＷＴＲＵは、ＰＳＳ／ＳＳＳおよび他の信号がそこから送信されるセルは、休止状態にあることができるが、少なくとも１つのＡｕＳＳを検出し、場合によってはＡｕＳＳの１または複数の検出されたプロパティを検出されたセルのセルアイデンティティと関連付けることができると決定することによって、一時的に再アクティブ化することができると決定することができる。例えば、ＷＴＲＵは、本明細書で開示される例に従ってＡｕＳＳを検出することから、最初に休止セルの存在を識別することができ、ＡｕＳＳのプロパティから、この休止セルのセルアイデンティティを識別することができる。
【０１４５】
ＷＴＲＵは、先にＰＳＳ／ＳＳＳを検出したが、ＰＳＳ／ＳＳＳを検出する前のある時間期間の間にセルからＣＲＳまたはＢＣＨなどの他の信号またはチャネルを検出することができなかった場合、このセルが休止状態にあると識別することができる。
【０１４６】
セルの休止状態は、マスタ情報ブロック（ＭＩＢ）またはシステム情報ブロック（ＳＩＢ）の領域などのシステム情報において示すことができる。
【０１４７】
ＷＴＲＵは、例えば、プロービング信号を使用して、その存在を示すことができる。発見信号もしくは発見リソースを検出したとき、および／または構成された基準もしくは条件を満たしたとき、ＷＴＲＵは、その存在を示す送信を開始することができる。
【０１４８】
ＷＴＲＵは、セルが休止状態にあるが、一時的に再アクティブ化されていると決定することができる。例えば、ＷＴＲＵは、例えば、アイドルモードにおいて、そのようなセルに対する初期セル選択またはセル再選択の後、この決定を行うことができる。ＷＴＲＵは、例えば、接続モードにおいて、測定を実行するときに、例えば、異なるセルおよび／または異なるレイヤのセルに接続されている間に、ＡｕＳＳまたは発見信号を検出したときに、この決定を行うことができる。ＷＴＲＵが、休止状態にあるが一時的に再アクティブ化されているセルのカバレージの下にいると決定し、存在のインジケーション（表示）またはレポートがトリガされた場合、ＷＴＲＵは、数々のアクションのうちの１または複数を実行することができる。
【０１４９】
例えば、ＷＴＲＵは、ＰＲＡＣＨ上でのプリアンブルの送信を示すことができ、および／またはＲＡＣＨ手順を開始することができる。ＷＴＲＵは、例えば、ＰＲＡＣＨパーティショニングがセルのために利用可能であり、および／またはＰＲＡＣＨ構成が対応する発見リソースまたは発見信号と関連付けられると決定した場合、複数のＰＲＡＣＨ構成のうちの１つを選択することができる。別の例として、ＷＴＲＵは、例えば、ＳＩＢ、専用メッセージ、ＰＤＣＣＨ指令などにおいて示されるような、構成態様とすることができるような機能に専用されることができるＰＲＡＣＨリソース（例えば、サブフレーム、プリアンブルフォーマット、プリアンブル、またはＰＲＢのセットなど）を選択することができる。ＷＴＲＵは、ＲＡＣＨ手順内で（例えば、ｍｓｇ１またはｍｓｇ３において）、ＷＴＲＵがセルのカバレージの下にいることを示す目的で、手順を実行することができることを示すことができる。ＷＴＲＵは、ＲＡＣＨ手順内で、本明細書で開示されるような追加の情報を示すことができる。ＷＴＲＵは、先に送信されたプリアンブルに対応するｍｓｇ２を受信したときに、プリアンブルの再送を停止することができる。それは、ＲＡＣＨ手順も停止することができ、例えば、受信されたｍｓｇ２内のグラントを（存在する場合）無視することができる。これは、グラントが提供されないことをｍｓｇ２が示す場合に、行うことができる。例えば、プリアンブルの送信は、少なくとも１つのＷＴＲＵが対象セルのカバレージの下にいると対象ｅＮＢが決定することができる、ある形式の匿名キープアライブインジケーション（表示）を実施するために使用することができる。ＲＡＣＨ手順は、ＳＲＢを確立するときに、レガシＷＴＲＵ挙動通りに、後続の手順の一部として使用することができる。
【０１５０】
ＷＴＲＵは、サービス要求またはトラッキングエリア更新などのＮＡＳ手順を開始することができ、それは、ＲＲＣ接続要求手順の開始をトリガすることができる。この手順は、ｅＵＴＲＡが対象セルのカバレージの下にいるＷＴＲＵのアイデンティティを決定することができる、ある形式の署名されたキープアライブインジケーション（表示）を実施するために使用することができる。
【０１５１】
ＷＴＲＵは、ＲＲＣ接続がサービス要求またはトラッキングエリア更新などの別の理由で開始される必要がない場合であっても、セルがＷＴＲＵの存在を検出し、低活動状態に戻らないことを保証するために、ＲＲＣ接続要求手順を開始することができる。ＷＴＲＵは、接続の原因がセルが休止状態にあることの検出であることを示すことができる。この手順は、ｅＵＴＲＡが対象セルのカバレージの下にいるＷＴＲＵのアイデンティティを決定することができる、ある形式の署名されたキープアライブインジケーション（表示）を実施するために使用することができる。ＷＴＲＵは、本明細書で開示される手順の１つを完了したとき、ＷＴＲＵがセルを休止モード外にあるように保つ目的で、それの満了前に上述の手順を実行しないようにすることができる禁止タイマを開始することができ、そのタイマは、ＷＴＲＵが対象セル上の信号上で動作している間、例えば、ＷＴＲＵが対象セルにキャンピングしている、または対象セルについての信号の受信を測定している間、有効であることができる。
【０１５２】
ＷＴＲＵは、１つのレイヤにおいてレポーティング基準を満たす数々の発見信号を検出することができる。ＷＴＲＵは、測定レポート内で、１または複数の検出された信号、例えば、すべての検出された信号を報告することができる。しかしながら、ＷＴＲＵは、存在のインジケーション（表示）をセルの１つに送信する場合、数々の基準の１または複数に基づいて、存在のインジケーション（表示）またはレポートをどのセルに送信するかを決定することができる。例えば、ＷＴＲＵは、最も良い測定品質（例えば、最も高い信号強度）が測定された発見リソースと関連付けられたセルを選択することができる。ＷＴＲＵは、最も低い干渉レベルを有する発見リソースと関連付けられたセルを選択することができる。ＷＴＲＵは、構成されたセルプライオリティに従って、関連するセルを選択することができる。
【０１５３】
本明細書で開示されるいくつかの例は、休止状態または低活動状態にあることができるスモールセルのリソースにＷＴＲＵがアクセスするための遅延を低減または最小化することができる。例は、マクロｅＮＢによって制御されるセルにすでに接続されていることができるが、そのセルに／からデータまたは大量のデータを転送していないことがあるＷＴＲＵのために使用することができる。活動が再開するとき、ネットワークは、本明細書で開示される例の１または複数を使用して、ＷＴＲＵが低活動状態にあるスモールセルのカバレージの下にいることを識別することができ、スモールセルを、ＷＴＲＵにサービスするために、通常活動状態にすることができる。ＷＴＲＵは、スモールセルへのハンドオーバを実行することができ、またはマクロｅＮＢのセルへの接続を維持している間（例えば、デュアルコネクティビティ）、スモールセルのリソースを使用するように再構成することができる。いくつかの実施形態では、ＷＴＲＵは、スモールセルが非アクティブ化状態またはアクティブ化状態にあることができるセカンダリサービングセル（Ｓｃｅｌｌ）であることができるように、すでに構成されていることができる。ＷＴＲＵは、そのプライマリサービングセル（Ｐｃｅｌｌ）としてスモールセルを用いるように構成することができる。
【０１５４】
本明細書で開示されるように、ＷＴＲＵは、少なくとも１つの発見信号上において（例えば、ＤＳ−ＲＳＲＰ、ＤＳ−ＲＳＲＱ、ＳＩＮＲなど）異なるタイプの測定を実行することができ、発見信号は、発見リソースで構成することができる。例えば、構成の一部として、発見リソースがＷＴＲＵ構成のあるＳｃｅｌｌに、またはＰｃｅｌｌに対応することができるかどうかも示すことができる。対応するＰｃｅｌｌまたはＳｃｅｌｌ構成の一部として、発見リソースを示すことができる。
【０１５５】
ＷＴＲＵは、活動が再開されていることを示すときに、選択された発見リソースと関連付けられたプロービング信号を送信することができる。例えば、ＷＴＲＵは、トリガリング条件が検出されたとき、少なくとも１つのプロービング信号を送信することができる。本明細書では、プロービング信号およびトリガリング条件についての異なる実現を開示することができる。休止であることができる（例えば、サービングまたは非サービング）近隣セルによる少なくとも１つのプロービング信号の受信は、ネットワークが、ＷＴＲＵにサービスすることができ、ＷＴＲＵからの後の送信を調整するために使用することができるセルを迅速に決定することを可能にすることができる。
【０１５６】
トリガリング条件は、ＲＡＣＨのためのＰＤＣＣＨ（もしくはＥ−ＰＤＣＣＨ）指令などのダウンリンク制御情報（ＤＣＩ）の検出、ＭＡＣアクティブ化コマンドのＭＡＣ制御要素の受信、および／または再構成などの、ネットワークからの明示的なインジケーション（表示）を含むことができる。例えば、ＷＴＲＵは、（例えば、値のあるセットまたはあるコードポイントを有する）ＰＤＣＣＨ／Ｅ−ＰＤＣＣＨ指令を受信した場合、プロービング信号の送信をトリガすることができる。トリガリング条件は、サブフレームまたはサブフレームのセット内での、特定的にそのＷＴＲＵに宛てられた任意のＤＣＩの受信、またはそのＷＴＲＵを対象としたＰＤＳＣＨの受信とすることができる。トリガリング条件は、非活動タイマの開始時などに、タイマまたはＤＲＸの変数に結び付けることができる。
【０１５７】
トリガリング条件は、ＵＬデータ到着またはＵＬデータステータスに関連することができる。例えば、トリガリング条件は、スケジューリング要求がトリガされたこととすることができる。トリガリング条件は、アップリンクグラントが構成されないことの決定を含むことができる。トリガリング条件は、バッファステータスレポート（ＢＳＲ）または定期的なＢＳＲがトリガされたこととすることができる。より一般的に、トリガリング条件は、バッファサイズ、データ到着、またはＱｏＳ要件に依存することができる。例えば、以下のトリガリングの１つまたは組み合わせを使用することができる。トリガは、１または複数の論理チャネル、例えば、すべての論理チャネルのバッファサイズが閾値を上回ることとすることができ、または含むことができる。トリガは、特定の論理チャネルグループまたは特定の論理チャネルグループのグループに属する１または複数の論理チャネル、例えば、すべての論理チャネルのバッファサイズが閾値を上回ることとすることができ、または含むことができる。特定の論理チャネルグループは、スモールセルレイヤがそれのために使用され、アクセスされる（例えば、構成または再構成される）ことができる、論理チャネルグループとすることができる。トリガは、特定の論理チャネルまたは特定の論理チャネルグループに属する論理チャネルのための送信のためにＵＬデータが利用可能になることとすることができ、または含むことができる。トリガは、ＵＬデータが利用可能になること、または低プライオリティ論理チャネルのための閾値を上回ることとすることができ、または含むことができる。トリガは、ある論理チャネルのＱｏＳが満たされていないこととすることができ、または含むことができる。トリガは、特定の論理チャネルまたは特定の論理チャネルグループに属する論理チャネルのＰＢＲが満たされていないこととすることができ、または含むことができる。
【０１５８】
トリガリング条件は、例えば、再構成メッセージ内で示される場合、モビリティ（例えば、ハンドオーバ）を伴った再構成とすることができる。これは、ターゲットマクロセルが、ＷＴＲＵが低活動状態にあるスモールセルのカバレージの下にいるかどうかを決定することを可能にすることができる。
【０１５９】
トリガリング条件は、ＷＴＲＵのモビリティ状態の決定を含むことができる。例えば、トリガリング条件は、例えば、ハンドオーバのカウントに基づいて、または測位もしくはドップラに基づいたスピードの測定に基づいて、ＷＴＲＵが、それが低モビリティ状態にあることを検出した場合に、満たされることができる。
【０１６０】
トリガリング条件は、発見リソースと関連付けられたセルの活動状態の決定（例えば、休止か、それともアクティブか、オンか、それともオフか）を含むことができる。例えば、トリガリング条件は、ＰＣＩおよび周波数などのそれの構成を発見リソースのものとともに提供することができる、発見リソースと関連付けられたセルが休止またはオフ状態にあることを、そのセルからのＣＲＳが送信されていないと決定したことに基づいて、ＷＴＲＵが検出した場合に、満たされることができる。
【０１６１】
プロービング信号は、ランダムアクセスプリアンブル、サウンディング参照信号（ＳＲＳ）、および／またはＰＵＣＣＨもしくはＰＵＳＣＨなどの別のタイプのＵＬ送信に類似した構造を有することができる送信を含むことができる。それは、別の参照信号も含むことができる。プロービング信号がランダムアクセスプリアンブルである場合、それは、少なくとも（例えば、ＲＡＣＨ−ＣｏｎｆｉｇＤｅｄｉｃａｔｅｄおよび／またはＲＡＣＨ−ＣｏｎｆｉｇＣｏｍｍｏｎ情報要素を使用して指定することができるような）ＰＲＡＣＨ構成、およびプリアンブルインデックスまたはそこから選択すべきプリアンブルインデックスの範囲によって特徴付けることができる。ＰＲＡＣＨ構成のためのタイミングは、サービングセルまたはプライマリサービングセル（Ｐｃｅｌｌ）のタイミングに基づくことができる。あるいは、タイミングは、発見信号の受信のタイミングに基づくことができる。プロービング信号は、ランダムアクセス手順の一部として送信することができる。
【０１６２】
ＷＴＲＵは、選択された発見リソースに基づいて、プロービング信号のプロパティ（例えば、送信時刻、電力、および／または周波数）を設定することができる。プロービング信号の少なくとも１つのプロパティは、選択された発見リソースまたはそのようなリソース上で実行された測定に基づいて決定することができる。プロービング信号と発見信号の間のそのような結合は、関連する休止セルによるプロービング信号の検出を容易にすることができる。
【０１６３】
ＷＴＲＵが２以上の発見リソースを用いるように構成される場合、少なくとも１つのプロパティの決定のために使用される発見リソースは、そのリソースから取得されるある測定値を増加させるまたは最適化する１つとして選択することができる。例えば、選択された発見リソースは、最大のＤＳ−ＲＳＲＰ（もしくはＤＳ−ＲＳＲＱもしくはＳＩＮＲ）が測定されたリソース、または干渉リソース（例えば、ＣＳＩ−ＩＭ）上で最小の干渉が測定されたリソースとすることができる。選択された発見リソースは、最新の測定レポートの送信時に、そのような基準を増加させるまたは最大化するものとして識別された１つとして決定することができる。選択された発見リソースは、ＷＴＲＵからの最新の利用可能な測定値に基づいて、これらの測定値がレポート内で送信されたかどうかにかかわらず、基準を増加させるまたは最大化する１つとして決定することができる。選択された発見リソースは、異なるリソースに対応する信号が異なるオフセットおよび／または周期を用いて送信される場合、最新の受信された発見信号に対応するリソースとして決定することができる。
【０１６４】
選択された発見リソースから導出されたプロービング信号のプロパティは、タイミング、電力、キャリア周波数、キャリア内のリソースブロック、（例えば、ＰＲＡＣＨに基づいたプロービング信号のための）プリアンブルインデックス、および／または（例えば、ＳＲＳもしくは他のＲＳに基づいたプロービング信号のための）ザドフ−チュー系列のうちの１または複数を含むことができる。本明細書では、プロパティ導出のいくつかの例を開示することができる。プロービング信号が送信されるキャリア周波数は、発見リソースのＤＬキャリアと結び付けられたＵＬキャリア周波数とすることができる。このＵＬキャリアは、例えば、発見リソース構成の一部として示すことができる。プロパティ導出の別の例は、プロービング信号の送信のために使用される送信電力とすることができる。例えば、ＷＴＲＵは、既存のシステムにおけるプリアンブル送信電力の決定のために使用される式など、経路損失推定値ＰＬＤを含むことができる式に基づいて、送信電力を決定することができる。
【０１６５】
ＰＰＲ＝ｍｉｎ（ＰＣＭＡＸ，ｃ，ＰＲＥＡＭＢＬＥ＿ＲＥＣＥＩＶＥＤ＿ＴＡＲＧＥＴ＿ＰＯＷＥＲ＋ＰＬＤ）、単位はｄＢｍ
上式または他の類似の式において使用される経路損失推定値ＰＬＤは、サービングセルのＲＳＲＰの代わりに、選択された発見リソースから取得されるＤＳ−ＲＳＲＰなどの測定値から決定することができる。例えば、ＰＬＤは、ＰＬＤ＝ｒｅｆｅｒｅｎｃｅＳｉｇｎａｌＰｏｗｅｒ＿ｄｉｓｃｏｖｅｒｙ−ＤＳ−ＲＳＲＰ（単位はｄＢ）として決定することができ、ここで、ｒｅｆｅｒｅｎｃｅＳｉｇｎａｌＰｏｗｅｒ＿ｄｉｓｃｏｖｅｒｙは、例えば、発見リソース構成の一部として示すことができるパラメータとすることができる。測定値ＤＳ−ＲＳＲＰは、ＲＳＲＰと同様に、より高位のレイヤによってフィルタリングすることができる。
【０１６６】
プロービング信号の送信タイミングは、選択された発見リソースに対応する受信された発見信号の受信タイミングに基づいて決定することができる。例えば、プロービング信号がプリアンブルを含む場合、送信タイミングは、発見信号の受信タイミングから少なくとも部分的に決定されるフレームタイミングに基づいて決定することができる。例えば、第１のプロービング信号の送信時刻は、プロービング信号または選択された発見リソースと関連付けられたＰＲＡＣＨ構成からの第１の利用可能なＰＲＡＣＨリソースとして決定することができる。選択された発見リソースの最新の受信された発見信号は、第１の利用可能なＰＲＡＣＨリソースを決定する目的で、偶数のフレーム番号の開始を定めることができる。例えば、時間領域においてＰＲＡＣＨリソースのより疎らなパターンを有する、追加のＰＲＡＣＨ構成は、スモールセルｅＮＢが、より大きな割合の時間の間、その受信機をオフにすることが可能なように定めることができる。
【０１６７】
選択された発見リソースに基づいてプロービング信号のプロパティを計算することができる、本明細書で開示される例の１または複数を適用することには、いくつかの利益が存在することができる。例えば、プロービング信号の電力を、固定されたレベル（または例えば、最大レベル）に設定する代わりに、スモールセルから送信された発見信号から推定される経路損失に基づいて設定することで、検出に成功する可能性を妥当な高さのレベルに維持しながら、過剰な干渉を回避することができる。選択された発見リソースに基づいてプロービング信号の送信タイミングを設定することで、近隣スモールセルｅＮＢのカバレージの下にいるＷＴＲＵから送信されるプロービング信号との間の干渉を最小化しながら、同時に、スモールセルｅＮＢにおけるバッテリ消費を低減または最小化することができるネットワークソリューションを可能にすることができる。そのようなネットワークソリューションでは、同じクラスタの一部であるスモールセルを制御するスモールセルｅＮＢは、サブフレームの重なり合わないセットにおいてプロービング信号をモニタリングするように構成することができる。ネットワークは、与えられたスモールセルに対応する発見リソースと関連付けられたプロービング構成（例えば、ＰＲＡＣＨ構成）を、このスモールセルのための受信機がオンにされることができたときに、この発見リソースを選択したＷＴＲＵがプロービング信号を送信することができるような方法で、割り当てることができる。プリアンブル（またはそこから選択すべき可能なプリアンブルの範囲）がプロービング信号に割り当てられた場合、これは、ネットワークが、同じプリアンブル（またはそれの範囲）をすべての発見リソース（例えば、すべてのスモールセル）に割り当てることも可能にすることができ、したがって、リソースを節約する。
【０１６８】
ＷＴＲＵは、プロービング信号の送信後、またはプロービング信号を送信するためのトリガリング条件が発生した後、プロービング信号および／または対応する発見リソースと関連付けられたセルを、例えば、継続的に、モニタリングし始めることができる。ＷＴＲＵは、シナリオの中でもとりわけ、例えば、少なくとも初期ＣＳＩレポートのために、対応する発見リソースに関連付けることができるＣＳＩリソースもしくはプロセスにおける、および／または発見リソース自体におけるチャネル状態情報（ＣＳＩ）も推定することができる。セルの構成情報（例えば、ＰＣＩ、周波数、および／または他の情報）は、対応するプロービング信号および／または発見リソースとともに、より高位のレイヤによって提供することができる。情報は、シナリオの中でもとりわけ、例えば、スモールセルが、Ｓｃｅｌｌとしてすでに構成されていることができるが、非アクティブ化されていることがある、またはＰｃｅｌｌとしてすでに構成されていることができるシナリオにおいて、すでに構成の一部であることができる。ＷＴＲＵは、例えば、構成からそのように示された場合、ＳＦＮレベルにおけるタイミングが現在のサービングセルまたはプライマリサービングセルと同じであると仮定することができる。それ以外の場合、ＷＴＲＵは、自律的にＳＦＮを獲得し始めることができる。モビリティを伴ったＲＲＣ再構成のケースでは、ＷＴＲＵは、そのプロービング信号としてＰＲＡＣＨプリアンブルをすでに送信している場合、定期的なＲＡＣＨ手順の開始をスキップし、このプリアンブルの受信を示すランダムアクセス応答メッセージを求めてセルをモニタリングし始めることができる。ＷＴＲＵは、例えば、メッセージの受信に成功したときに、定期的なＲＡＣＨ手順におけるように、タイミングアドバンスを適用し、ｍｓｇ３を送信することができる。プロービング信号の送信時に開始されたタイマが満了するまでに、ＷＴＲＵがランダムアクセス応答メッセージを受信しない場合、ＷＴＲＵは、定期的なＲＡＣＨ手順を開始することができる。
【０１６９】
上述のセルと関連付けられた後続のアップリンク送信の送信電力は、関連する発見リソースから取得されたＤＳ−ＲＳＲＰ測定値から決定される経路損失推定値に基づいて計算することができる。そのような送信は、例えば、ｍｓｇ３（例えば、初期グラント）などのＰＵＳＣＨ送信および後続のアップリンクグラントからもたらされるそれら、ＰＵＣＣＨ送信、ならびに／またはＰＵＣＣＨ送信を含むことができる。ＷＴＲＵは、最終的には、ＤＳ−ＲＳＲＰの代わりに、セルのＣＲＳから取得されたＲＳＲＰ測定値から決定することができる経路損失推定値を使用し始めることができる。この推移は、ＷＴＲＵが、十分な数のサブフレームにわたって、例えば、２００ｍｓの測定期間にわたって、ＣＲＳを測定した後に発生することができる。例えば、Ｌ３フィルタリングが使用される場合、ＷＴＲＵは、測定の最新のフィルタリングされた値として、最新の平均されたＤＳ−ＲＳＲＰを使用することができ、この最新の値に基づいて、フィルタリングされた測定の後続の値を更新することができる。ＷＴＲＵは、経路損失推定値の変化によって引き起こされる変動を最大値に制限するために、送信電力に補正係数を適用することができる。
【０１７０】
ＷＴＲＵは、再構成メッセージの受信などの停止条件が発生するまで、プロービング信号の系列を送信することができる。ＷＴＲＵは、２以上のプロービング信号、またはプロービング信号の系列を送信することができる。例えば、停止条件が発生することなく、先のプロービング信号の送信時に開始されたタイマが満了した場合、また場合によっては、プロービング信号送信の最大数が超過されておらず、および／または最大電力が超過されていない場合、先のプロービング信号と比較して増加させることができる電力を用いた新しいプロービング信号の送信を、ＷＴＲＵが開始することを可能にすることができる。停止条件は、（例えば、サービングセルもしくはプライマリサービングセルからの）再構成メッセージの受信、またはプロービング信号と関連付けられたセル上での（ランダムアクセス応答もしくはＷＴＲＵ固有の割り当てなど）ＷＴＲＵに対して有効なＰＤＣＣＨの受信の成功のうちの１または複数を含むことができる。
【０１７１】
ＷＴＲＵは、複数の発見リソースと関連付けられたプロービング信号の系列を送信することができる。ＷＴＲＵは、２以上の発見リソースおよび／または対応するプロービング信号を用いるように構成された場合、発見リソースのサブセットのうちの各々について少なくとも１つのプロービング信号の送信を開始することができる。発見リソースのサブセットは、それについてのＤＳ−ＲＳＲＰ、ＤＳ−ＲＳＲＱ、もしくはＳＩＮＲなどの測定値が閾値を上回るリソース、アクティブ状態にあることが検出されないセルと関連付けられたリソース、および／またはそれについての最新の信号が現在時刻マイナス閾値以降の時刻に受信されたリソースを含むことができ、例えば、それらに制限することができる。ＷＴＲＵは、例えば、ＤＳ−ＲＳＲＰ、ＤＳ−ＲＳＲＱ、ＳＩＮＲなどの測定の最大値、プロービングリソースが利用可能な最早時刻、および／または発見リソースの構成における順序もしくは明示的なプライオリティインデックスを含むことができる、数々の基準のうちの１または複数に従ったプライオリティ順序を使用して、プロービング信号の送信を実行することができる。ＷＴＲＵは、停止条件が満たされた場合は、停止条件が対応する発見リソースと関連付けられたセルからのＰＤＣＣＨの受信ではない場合であっても、発見リソースと関連付けられたプロービング信号の次回の送信をキャンセルすることができる。
【０１７２】
ＷＴＲＵは、例えば、セルが既存の接続に追加される場合、再構成手順の完了を示すために、ＲＡＣＨ手順を開始することができる。例えば、ＲＲＣ再構成手順は、ＷＴＲＵのサービングセルまたはプライマリサービングセルを制御するｅＮＢとは異なるｅＮＢによって制御することができるセルからリソースを追加するために定めることができる。そのような手順の一部として、ＷＴＲＵは、リソースがそこから追加される新しいセルにおいてＲＡＣＨ手順を開始することができる。手順を開始するための情報（例えば、ＲＡＣＨ／ＰＲＡＣＨ構成および他の物理レイヤ情報）を、再構成メッセージ内に含めることができる。ＷＴＲＵは、「ＲＲＣ再構成完了」メッセージなどのＲＲＣメッセージを新しいセルのＲＡＣＨ手順のメッセージ３（例えば、「ＵＬ−ＳＣＨ上での第１のスケジュールされたＵＬ送信」）に含めることができる。手順は、このメッセージの送信が成功した後に完了することができる。新しいセルを制御するｅＮＢ（例えば、ＳｅＮＢ）は、別のｅＮＢ（例えば、ＭｅＮＢ）によってＲＲＣ制御されるＷＴＲＵが、この目的のためにメッセージ３を送信していることを検出することができ、メッセージ３のコンテンツを透過的にＭｅＮＢに転送することができる。ＳｅＮＢは、手順を開始するために使用されるプリアンブル（例えば、リソース）に基づいて暗黙的にＷＴＲＵのアイデンティティを決定することができ、またはメッセージ３の一部として含まれるＷＴＲＵのアイデンティティを決定することができる。ＳｅＮＢは、ＷＴＲＵとの関連付けについての明示的な情報に基づいて、ＭｅＮＢのアイデンティティを決定することができる。ＭｅＮＢまたはプライマリサービングセルのアイデンティティは、メッセージ３に明示的に含めることができ、または本明細書で開示される例を使用して獲得することができる。
【０１７３】
ＷＴＲＵは、例えば、ダウンリンク割り当てを受信するときに、または他のシナリオにおいて、ＡｕＳＳが対応するサービングセルから送信されるリソース要素が、ＰＤＳＣＨのために使用されないようにすることができるような方法で、ＰＤＳＣＨを処理することができる。
【０１７４】
ＷＴＲＵは、ＰＤＳＣＨが使用されないようにすることができるゼロ電力リソースの追加のセットも示すことができる。リソースのこのセットは、近隣セルにおける可能なＡｕＳＳ送信に結び付けることができる。
【０１７５】
ＷＴＲＵは、ネットワーク（例えば、ＳｅＮＢ）が、ＳｅＮＢのセルのリソースに初期アクセスを実行するときに、そのアイデンティティ（識別）を決定することを可能にすることができる。ＷＴＲＵは、ＭｅＮＢによって提供される（例えば、ＭｅＮＢ制御される）パラメータ、またはＭｅＮＢとの動作のためにＷＴＲＵによって使用される（例えば、ＷＴＲＵ自律の、ＳｅＮＢ制御される）パラメータを使用することができる。
【０１７６】
ＳｅＮＢは、例えば、パラメータがＭｅＮＢによって提供される場合、ＷＴＲＵのアイデンティティ（識別）をどのように決定すべきかを事前に知ることができる。ＭｅＮＢおよびＳｅＮＢは、ＷＴＲＵがＳｅＮＢにアクセスすることができるように調整を実行することができ、ＳｅＮＢは、ＷＴＲＵのアイデンティティ（識別）を決定することができる。この場合、ＳｅＮＢのＰＲＡＣＨ上での競合ベースのランダムアクセスまたは競合なしのアクセスに基づいた手順を開示することができる。
【０１７７】
例えば、パラメータがＷＴＲＵによってＭｅＮＢとの動作のために使用される場合、ＳｅＮＢは、ＷＴＲＵからの送信を受信し、送信が別のｅＮＢ（例えば、ＭｅＮＢ）のセルにすでに接続されているＷＴＲＵに対応することを決定し、例えば、ＭｅＮＢとの対話によって、ＷＴＲＵのアイデンティティ（識別）を解決することができる。例えば、ＳｅＮＢは、要求を受信し、ＷＴＲＵのアイデンティティ（識別）を解決することができる。この場合、ＳｅＮＢのＰＲＡＣＨ上での競合ベースのランダムアクセスまたは競合なしのアクセスに基づいた手順を開示することができる。
【０１７８】
いずれの場合も、別のｅＮＢのセルにすでに接続されているＷＴＲＵのために、別個のＰＲＡＣＨリソースを使用して、衝突を低減もしくは最小化すること、および／またはアクセスが接続確立のためではなく、例えば、デュアルコネクティビティの再構成のためであることをネットワークに示すことができる。
【０１７９】
ＷＴＲＵは、本明細書で説明される方法の１つに従って、セルにアクセスすることができる。例えば、ＷＴＲＵは、デュアルコネクティビティ（例えば、単一のＲＲＣ接続を使用する異なるｅＮＢと関連付けられたリソースの使用）をサポートする場合に、方法を適用することができる。そのような場合、ＷＴＲＵは、第１のｅＮＢ（例えば、ＭｅＮＢ）との確立されたＲＲＣ接続を有することができ、ＭｅＮＢと関連付けられた少なくとも第１のセルのリソースを使用することができる。ＷＴＲＵは、（例えば、ＭｅＮＢから）構成を受信した場合に、そのような方法を適用することができる。
【０１８０】
本明細書では、ネットワーク制御およびＷＴＲＵ制御に関して方法を説明することができるが、本明細書で説明される方法は、それぞれのシナリオに限定されない。例えば、ＭｅＮＢに対する動作に割り当てられたＣ−ＲＮＴＩの使用を、アクセス手順の間またはアクセス手順の完了後の可能な再割り当てを含む、ＷＴＲＵがＳｅＮＢのセルに自律的にアクセスする場合に使用することができるが、類似の挙動は、ＭｅＮＢ制御されるアクセスが同様の方法で実行される場合にも適用可能とすることができる。
【０１８１】
プリアンブルは、競合なしアクセスにおいて送信することができる。ＷＴＲＵは、ランダムアクセス手順が成功したことを、ＳｅＮＢのセルのリソース上でのＲＡＲの受信から、例えば、ＳｅＮＢのＰＤＣＣＨ上でのＲＡ−ＲＮＴＩを用いてスクランブルされたＤＣＩによってスケジュールされたＲＡＲの受信によって、決定することができる。例えば、ＷＴＲＵは、ＭｅＮＢから受信された制御シグナリングによって構成されたＲＮＴＩになるように設定された値を有する一時Ｃ−ＲＮＴＩフィールドをＲＡＲが含む場合に、ランダムアクセス手順が成功したと決定することができる。ＷＴＲＵは、ＭｅＮＢによって割り当てられたＣ−ＲＮＴＩに等しいＣ−ＲＮＴＩを有するＤＣＩ受信から、ランダムアクセス手順が成功したと決定することができる。ＷＴＲＵは、ＳｅＮＢのＰＤＣＣＨ上で受信されるＣ−ＲＮＴＩによってスクランブルされたＤＣＩフォーマットの受信から、プリアンブル送信が成功したと決定することができる。そのようなＤＣＩは、ＭＡＣ  ＴＡＣ制御要素（ＣＥ）を含む送信に対応することができる。
【０１８２】
プリアンブルは、競合ベースのアクセスにおいて送信することができる。ｍｓｇ３は、ＭｅＮＢによって割り当てられるＣ−ＲＮＴＩに等しいＣ−ＲＮＴＩを有するＣ−ＲＮＴＩ  ＭＡＣ制御要素（ＣＥ）を含むことができる。ＷＴＲＵは、ｍｓｇ３の送信のためのグラントを含むことができるＲＡＲを受信することができる。ＷＴＲＵは、Ｃ−ＲＮＴＩフィールドの値がＭｅＮＢから受信した制御シグナリングによって構成されるＲＮＴＩになるように設定されたＣ−ＲＮＴＩ  ＭＡＣ制御要素を含むことができる。ＷＴＲＵは、Ｃ−ＲＮＴＩによってスクランブルされ、ＳｅＮＢのＰＤＣＣＨ上で受信されるＤＣＩフォーマットの受信から、手順が成功したと決定することができる。
【０１８３】
ＭｅＮＢ制御されるセルアクセス、ＳｅＮＢ制御されるセルアクセス、ＷＴＲＵ自律のセルアクセス、および／または本明細書で説明される他の方法との組み合わせを含むことができる、セルアクセスのためのＷＴＲＵトリガが存在することができる。
【０１８４】
ＭｅＮＢ制御されるセルアクセスは、ＭｅＮＢ制御されるトリガ、および／またはＳｅＮＢのセルへのアクセスを含むことができる。ＷＴＲＵは、第２のｅＮＢ（例えば、ＳｅＮＢ）のセルへのアクセスをトリガすることができる第１のｅＮＢ（例えば、ＭｅＮＢ）から制御シグナリングを受信することができる。そのようなシグナリングは、ＳｅＮＢの少なくとも１つのセルをＷＴＲＵの構成に追加するＲＲＣ再構成メッセージの受信など、Ｌ３／ＲＲＣシグナリングを含むことができる。
【０１８５】
ＭＡＣ制御要素（ＣＥ）は、第２のＭＡＣインスタンスにおける手順、例えば、プリアンブル送信／ＲＡＣＨ（例えば、ｅＮＢ相互のＭＡＣベースのＲＡＣＨトリガ）をトリガすることができる第１のＭＡＣインスタンスにおいて受信することができる。このシグナリングは、ＷＴＲＵの構成においてＳｅＮＢと関連付けられた少なくとも１つのセルをアクティブ化することができるＬ２／ＭＡＣ制御要素を含むことができる。そのようなアクティブ化は、ＳｅＮＢのセルへのランダムアクセス手順を使用するアクセスをトリガすることができる。
【０１８６】
ＭｅＮＢ制御されるセルアクセスは、ＳＣｅｌｌ  ＲＡＣＨトリガに類似したＰＤＣＣＨ指令を含むことができる。これは、第１のＰＨＹレイヤによる、および／または第２のＭＡＣインスタンスにおける手順、例えば、プリアンブル送信／ＲＡＣＨ（例えば、ｅＮＢ相互のＬ１ベースのＰＤＣＣＨ  ＲＡＣＨ指令）をトリガすることができるＭＡＣインスタンスによる、Ｌ１シグナリングの受信を含むことができる。そのようなシグナリングは、第２のｅＮＢのセルへのランダムアクセス手順を使用するアクセスをトリガすることができるＬ１／ＰＤＣＣＨシグナリングの受信を含むことができる。
【０１８７】
制御シグナリングは、競合アクセスまたは競合なしアクセスを示すことができる。この例は、例えば、プリアンブル送信／ＲＡＣＨのために、パラメータのセットを第２のＭＡＣインスタンスに渡すことができる、第１のインスタンスによるＬ１および／またはＬ２シグナリングの受信を含むことができる。シグナリングは、第２のｅＮＢと関連付けられたＭＡＣインスタンスに適用可能なＲＮＴＩを、第１のＭＡＣインスタンスのものと異なる場合は、含むことができる。シグナリングは、プリアンブルの送信のためのパラメータを含むことができる。パラメータは、専用ＰＲＡＣＨリソースおよび／またはプリアンブルを含むことができる。パラメータは、ＷＴＲＵが、競合なしアクセスを実行することを可能にすることができる。
【０１８８】
ＷＴＲＵは、ＭｅＮＢへの確立されたＲＲＣ接続を有することができる。ＷＴＲＵは、別のｅＮＢの少なくとも１つのセルがアクセスに適すると決定することができる。ＷＴＲＵは、これを、例えば、測定レポートを使用して、ネットワークに報告することができる。例えば、ＷＴＲＵは、セルの状態を測定レポート内に含めること、または測定レポート内で示すことができる。
【０１８９】
別の例として、ＭｅＮＢ制御されるセルアクセスは、ＳｅＮＢのセルへのＬ１および／またはＣＦアクセスによるＭｅＮＢ制御されるトリガを含むことができる。これは、（例えば、ＷＴＲＵ固有またはＭＡＣレイヤ固有とすることができる）ＲＮＴＩの割り当ての、ＭｅＮＢのＭＡＣと関連付けられたＣ−ＲＮＴＩ、ＳｅＮＢのＭＡＣと関連付けられたＣ−ＲＮＴＩ、または両方を含むようにＲＡＲを拡張することができる場合は両方に一致する一時Ｃ−ＲＮＴＩの検証との組み合わせを含むことができる。
【０１９０】
ＷＴＲＵは、ＳｅＮＢのセルのリソース上でランダムアクセス手順を開始するようにＷＴＲＵに命令することができるＤＣＩを、ＭｅＮＢのセルのＰＤＣＣＨ上で受信することができる。そのような構成は、特定のＰＲＡＣＨリソース（例えば、プリアンブル、ＰＲＡＣＨリソース／機会など）、および／またはＳｅＮＢのセルにおける動作のためのＲＮＴＩを含むことができる。
【０１９１】
ＷＴＲＵは、ＳｅＮＢのセルのＰＲＡＣＨリソースを使用して、プリアンブルの送信を開始することができる。ＷＴＲＵは、プリアンブル送信に適用可能なＲＡ−ＲＮＴＩを使用して、ＲＡＲを求めてＰＤＣＣＨをモニタリングすることができる。ＷＴＲＵは、ＲＡＲメッセージの受信時に、手順が成功したと見なすことができる。ＷＴＲＵは、対象ＲＮＴＩの値を示す一時Ｃ−ＲＮＴＩのためのフィールドを有するＲＡＲメッセージの受信時に、手順が成功したと見なすことができる。Ｃ−ＲＮＴＩは、対応するＭＡＣインスタンスのために構成することができる。
【０１９２】
この例は、ＷＴＲＵ固有またはＭＡＣレイヤ固有とすることができるＲＮＴＩの割り当ての、ＳｅＮＢのＭＡＣと関連付けられたＣ−ＲＮＴＩを有するスケジュールされたＲＡＲの受信との組み合わせに基づくことができる。
【０１９３】
ＷＴＲＵは、対応するＭＡＣインスタンスのために構成されたＣ−ＲＮＴＩによってスクランブルされたＰＤＣＣＨによる送信を受信した場合、手順が成功したと見なすことができる。そのような送信は、ＲＡＲメッセージ、またはＭＡＣ  ＴＡＣ  ＣＥなどのＭＡＣ  ＣＥを含むことができる。
【０１９４】
ＳｅＮＢは、（例えば、競合なしパラメータが使用される、例えば、時間／周波数における専用ＰＲＡＣＨリソースが使用される場合、および／または専用プリアンブルを使用する場合）プリアンブル受信を使用して、ＷＴＲＵのアイデンティティ（識別）を決定することができる。
【０１９５】
ＭｅＮＢ制御されるセルアクセスは、ＳｅＮＢのセルへのＬ１および／またはＣＢアクセスによるＭｅＮＢ制御されるトリガを含むことができる。これは、ＷＴＲＵ固有またはＭＡＣレイヤ固有とすることができるＲＮＴＩの割り当ての、一時Ｃ−ＲＮＴＩについて考慮しないＲＡＲの受信との、および手順がネットワークによって開始される場合のためにＷＴＲＵがＣ−ＲＮＴＩ  ＭＡＣ制御要素（ＣＥ）をｍｓｇ３内に含めることとの組み合わせを含むことができる。Ｃ−ＲＮＴＩは、ＭｅＮＢのＭＡＣと関連付けられたＣ−ＲＮＴＩ、ＳｅＮＢのＭＡＣと関連付けられたＣ−ＲＮＴＩ、または（例えば、両方を含むようにＭＡＣ  ＣＥが拡張される場合、もしくはＭＡＣ  ＰＤＵが複数のＣ−ＲＮＴＩ  ＭＡＣ  ＣＥを含むことができる場合は）両方とすることができる。ｍｓｇ３は、ＭｅＮＢを識別する情報、例えば、物理セルアイデンティティ（識別）なども含むことができる。
【０１９６】
ＷＴＲＵは、ＳｅＮＢのセルのリソース上でランダムアクセス手順を開始するようにＷＴＲＵに命令することができるＤＣＩを、ＭｅＮＢのセルのＰＤＣＣＨ上で受信することができ、そのプリアンブル送信は、競合なしと仮定されない。
【０１９７】
ＷＴＲＵは、ＳｅＮＢのセルのＰＲＡＣＨリソースを使用するプリアンブルの送信を開始することができる。その後、ＷＴＲＵは、プリアンブル送信に適用可能なＲＡ−ＲＮＴＩを使用するＲＡＲを求めてＰＤＣＣＨをモニタリングすることができる。ＷＴＲＵは、ＲＡＲメッセージの受信に成功することができる。ＷＴＲＵは、一時Ｃ−ＲＮＴＩフィールドを無視することができ、例えば、ＷＴＲＵは、そのフィールドをＰＤＣＣＨ復号のための割り当てと見なさないようにすることができる。ＷＴＲＵは、対象ＭＡＣインスタンスのために構成され、ＭｅＮＢのリソースを使用して先に受信されたＣ−ＲＮＴＩを使用することができる。ＷＴＲＵは、ｍｓｇ３の送信のためのグラントを有するＲＡＲを受信した場合、ＭｅＮＢから受信されたＲＮＴＩ値を示すことができるＣ−ＲＮＴＩ  ＭＡＣ制御要素をｍｓｇ３内に含めることができる。ＷＴＲＵは、対象ＭＡＣインスタンスと関連付けられたＣ−ＲＮＴＩに宛てられたＰＤＣＣＨの受信時に、手順が成功したと見なすことができる。
【０１９８】
ＳｅＮＢは、プリアンブル受信、ならびに値がＭｅＮＢによって構成されたおよび／または示されたＲＮＴＩ値になるように設定されたＣ−ＲＮＴＩ  ＭＡＣ制御要素（ＣＥ）を有する後続するｍｓｇ３の受信を使用して、ＷＴＲＵのアイデンティティを決定することができる。これは、例えば、（例えば、デュアルコネクティビティのためにＳｅＮＢに対してＳＲＢが使用されない場合は）ＭＡＣ  ＣＥと、または（例えば、それ以外の場合は）例えば、物理セルアイデンティティ、グローバルセルアイデンティティ、および／もしくはＭｅＮＢへのＷＴＲＵのＲＲＣ接続と関連付けられたセルのキャリア周波数のうちの１または複数など、対象ＭｅＮＢのアイデンティティ（識別）をＳｅＮＢが決定することを可能にすることができる少なくとも１つの態様を含むことができるＲＲＣメッセージと組み合わせて、実行することができる。
【０１９９】
ＭｅＮＢ制御されるセルアクセスは、セルオン／オフメカニズムとの組み合わせを含むことができる。本明細書で開示される方法のいずれについても、ＷＴＲＵは、第２のｅＮＢの少なくとも１つの適切なセルを検出することができる。セルが休止状態にある場合、ＷＴＲＵは、本明細書で開示されるようなさらなるアクションを実行することができる。その後、セルは、ＷＴＲＵからアクセス可能であると仮定することができる。ＷＴＲＵは、例えば、測定レポートを使用して、このアクセス可能性をネットワークに報告することができる。例えば、ＷＴＲＵは、セルの状態を測定レポート内に含むこと、または測定レポート内で示すことができる。
【０２００】
ＳｅＮＢ制御されるセルアクセスは、ＳｅＮＢ制御されるトリガ、および／またはＳｅＮＢのセルへのアクセスを含むことができる。ＷＴＲＵは、プリアンブル送信のためのトリガなど、後続するトリガについての、第２のｅＮＢ（例えば、ＳｅＮＢ）のセルのＰＤＣＣＨのモニタリングをトリガすることができる第１のｅＮＢ（例えば、ＭｅＮＢ）から制御シグナリングを受信することができる。このシグナリングは、ＳｅＮＢの少なくとも１つのセルをＷＴＲＵの構成に追加するＲＲＣ再構成メッセージの受信など、Ｌ３／ＲＲＣシグナリングを含むことができる。
【０２０１】
シグナリングは、ＭＡＣ  ＳＣｅｌｌアクティブ化または非アクティブ化に類似するＭＡＣ制御要素（ＣＥ）を含むことができる。この例は、第２のＭＡＣインスタンスにおける手順、例えば、ＰＤＣＣＨモニタリング（例えば、ｅＮＢ相互のＭＡＣベースのセルアクティブ化）をトリガすることができる第１のＭＡＣインスタンスにおけるＭＡＣ  ＣＥの受信に基づくことができる。このシグナリングは、ＷＴＲＵの構成においてＳｅＮＢと関連付けられた少なくとも１つのセルをアクティブ化することができるＬ２／ＭＡＣ  ＣＥを含むことができる。
【０２０２】
ＳｅＮＢ制御されるセルアクセスは、例えば、セルをアクティブ化する手順に続いて、セルがアクセス可能であることをＷＴＲＵが検出することを含むことができる。ＷＴＲＵは、セルがアクセス可能であると決定することができ、プリアンブル送信のためのトリガなど、後続するトリガを求めて、第２のｅＮＢ（例えば、ＳｅＮＢ）のセルのＰＤＣＣＨのモニタリングを開始することができる。
【０２０３】
例えば、対象セルが、アクセスが即座に可能ではないことがある状態（例えば、休止、オフ）にある場合、ＷＴＲＵは、最初にプロービング信号を送信し、その後、例えば、適用可能な方法を使用して、リソースが利用可能であると決定することができる。方法は、ＰＳＳ／ＳＳＳ、システム情報、および／またはセルがアクセス可能であることの明示的な確認などのブロードキャスト信号の受信を含むことができる。
【０２０４】
ＳｅＮＢ制御されるセルアクセスは、ＰＣｅｌｌ  ＲＡＣＨトリガに類似したＰＤＣＣＨ指令を含むことができる。ＷＴＲＵは、対象ＭＡＣインスタンスに適用可能なＲＮＴＩを使用して、ＰＤＣＣＨ上でＤＣＩを受信することができる。そのようなＤＣＩは、ＰＣｅｌｌのために使用されるレガシ手順に類似したランダムアクセス手順をＳｅＮＢのセルのリソース上においてトリガすることができる。
【０２０５】
ＷＴＲＵ自律のセルアクセスは、ＷＴＲＵ自律のトリガ、および／またはＳｅＮＢのセルのＣＢアクセスを含むことができる。ＷＴＲＵは、セルがアクセス可能であると決定することができる。オン／オフ方法を使用して、セルをアクティブ化することができる。ＷＴＲＵは、セルがアクセス可能であると決定することができ、第２のｅＮＢのセルへのアクセスを自律的に開始することができる。例えば、対象セルが、アクセスが即座に可能ではないことがある状態（例えば、休止、オフ）にある場合、ＷＴＲＵは、最初にプロービング信号を送信し、その後、例えば、適用可能な方法を使用して、リソースが今では利用可能であると決定することができる。方法は、ＰＳＳ／ＳＳＳ、システム情報、および／またはセルがアクセス可能であることの明示的な確認などのブロードキャスト信号の受信を含むことができる。
【０２０６】
ＷＴＲＵは、例えば、事前構成に基づいて、セルがアクセス可能であることができると最初に決定することができる。ＷＴＲＵは、例えば、デュアルコネクティビティのために、セルがアクセス可能であることができると決定することができる。ＷＴＲＵは、ＷＴＲＵが対象セルにおける動作のために構成される場合など、その構成に基づいて、このアクセス可能性を決定することができる。ＷＴＲＵは、システム情報の受信に基づいて、セルがアクセス可能であることができると決定することができる。ＷＴＲＵは、対象セルへのアクセスを試みる前に、システム情報を受信することができる。
【０２０７】
ＷＴＲＵは、ＭｅＮＢへの確立されたＲＲＣ接続を有することができる。ＷＴＲＵは、別のｅＮＢの少なくとも１つのセルがアクセスに適することができると決定することができる。ＷＴＲＵは、そのことを、例えば、測定レポートを使用して、ネットワークに報告することができる。例えば、ＷＴＲＵは、セルの状態を測定レポート内に含めること、または測定レポート内で示すことができる。
【０２０８】
ＷＴＲＵ自律のセルアクセスは、ＳｅＮＢのセルへのＷＴＲＵ自律のＣＢアクセスを含むことができる。これは、ＷＴＲＵ固有とすることができ、ＭｅＮＢによって割り当てることができる、第１のＭＡＣインスタンスに割り当てられるＲＮＴＩの使用の、一時Ｃ−ＲＮＴＩについて考慮しないＲＡＲの受信との、および／または手順がＵＥによって自律的に開始される場合のためにＷＴＲＵがＣ−ＲＮＴＩ  ＭＡＣ  ＣＥをｍｓｇ３内に含めることとの組み合わせを含むことができる。Ｃ−ＲＮＴＩは、ＭｅＮＢのＭＡＣと関連付けられたＣ−ＲＮＴＩとすることができる。ｍｓｇ３は、ＭｅＮＢを識別することができる情報、例えば、物理セルアイデンティティなども含むことができる。
【０２０９】
ＷＴＲＵは、ＳｅＮＢのセルのＰＲＡＣＨリソースを使用するプリアンブルの送信を開始することができる。そのようなリソースは、ブロードキャストされるシステム情報の受信から獲得することができる。ＷＴＲＵは、プリアンブル送信に適用可能なＲＡ−ＲＮＴＩを使用するＲＡＲを求めてＰＤＣＣＨをモニタリングすることができる。ＷＴＲＵは、ＲＡＲメッセージの受信に成功することができる。ＷＴＲＵは、一時Ｃ−ＲＮＴＩフィールドを無視することができ、例えば、ＷＴＲＵは、そのフィールドをＰＤＣＣＨ復号のための割り当てと見なさないようにすることができる。ＷＴＲＵは、（例えば、ＭｅＮＢと関連付けられたＭＡＣインスタンスのために）ＭｅＮＢによって割り当てられたＣ−ＲＮＴＩを使用することができる。ＷＴＲＵは、ｍｓｇ３の送信のためのグラントを有するＲＡＲを受信した場合、ＭｅＮＢによって割り当てられるＲＮＴＩ値を示すことができるＣ−ＲＮＴＩ  ＭＡＣ制御要素をｍｓｇ３内に含めることができる。ＷＴＲＵは、対象ＭＡＣインスタンスと関連付けられたＣ−ＲＮＴＩに宛てられたＰＤＣＣＨの受信時に、手順が成功したと見なすことができる。より長い競合解決タイマを使用することができ、ブロードキャストされるシステム情報内で示すことができる。競合解決タイマの長さは、ＷＴＲＵを識別することができるようにＳｅＮＢがＭｅＮＢと調整を行うことが予想される時間を少なくともカバーすることができる。競合は、ネットワークがＷＴＲＵのアイデンティティ（識別）を解決する前に、ＷＴＲＵによって解決することができ、その場合、ＷＴＲＵは、ＷＴＲＵが対応するＲＮＴＩを有するＤＣＩの復号に成功するまで、および／またはＳｅＮＢの対象セルを構成することができ、新しいＣ−ＲＮＴＩを対象ＭＡＣインスタンスに割り当てることができる再構成をＷＴＲＵが（例えば、ＳＲＢがＭｅＮＢにおいて終了する場合はＭｅＮＢから、もしくはそれ以外の場合はＳｅＮＢから）受信するまで、ＰＤＣＣＨを単にモニタリングすることができる。
【０２１０】
ＳｅＮＢは、プリアンブル受信、ならびに値がＭｅＮＢによって構成されたおよび／または示されたＲＮＴＩ値になるように設定されたＣ−ＲＮＴＩ  ＭＡＣ  ＣＥを有する後続するｍｓｇ３の受信を使用して、ＷＴＲＵのアイデンティティ（識別）を決定することができる。これは、（例えば、デュアルコネクティビティのためにＳｅＮＢに対してＳＲＢが使用されない場合は）ＭＡＣ  ＣＥと、ならびに／または（例えば、それ以外の場合は）例えば、物理セルアイデンティティ、グローバルセルアイデンティティ、および／もしくはＭｅＮＢへのＷＴＲＵのＲＲＣ接続と関連付けられたセルのキャリア周波数のうちの１または複数など、対象ＭｅＮＢのアイデンティティ（識別）をＳｅＮＢが決定することを可能にすることができる少なくとも１つの態様を含むＲＲＣメッセージと組み合わせて、行うことができる。
【０２１１】
ＷＴＲＵは、そのアイデンティティ（識別）をネットワークが確認することを可能にすることができるトークンも含めることができる。そのようなトークンは、例えば、ＷＴＲＵのＭｅＮＢへの先の送信において計算されたｓｈｏｒｔＭＡＣ−Ｉを含むことができる。そのようなメッセージは、例えば、ＲＲＣ  ＰＤＵまたはその一部とすることができ、その場合、ＷＴＲＵは、加えて、対応するトランザクションアイデンティティ（識別）を送信することができる。トークンは、ＭｅＮＢとＷＴＲＵの間で共有することができる情報のストリングを含むことができる。ストリングは、ＷＴＲＵに対して、ＳｅＮＢへのそのアクセスの前に、ＭｅＮＢによって構成することができる。トークンは、ＭｅＮＢとの送信に適用可能なセキュリティ機能を使用して、ＷＴＲＵによって送信することができる。
【０２１２】
セルアクセスは、セル休止オン／オフメカニズムなど、本明細書で説明される他の方法との組み合わせを含むことができる。本明細書で開示される手順のいずれについても、ＷＴＲＵは、対象セルが休止状態にあると最初に決定することができる。ＷＴＲＵは、セルをアクティブ化するための手順を実行することができる。ＷＴＲＵは、本明細書で開示されるメカニズムを使用するなどして、初期アクセスのためのプリアンブルの送信が、休止セルに対するプロービング信号および／またはアクティブ化信号としても機能する、組み合わされた手順を実行することができる。この場合、適用可能なタイマおよびウィンドウ（例えば、ランダムアクセス応答ウィンドウ）を、例えば、整数倍の係数だけ、拡大することができる。ＷＴＲＵは、ＷＴＲＵによって送信されたプリアンブルと関連付けられたＲＡＲの受信から、セルがアクティブ化されたと決定すること、および／またはそのさらなる確認を取得することができる。
【０２１３】
セル固有参照信号（ＣＲＳ）が存在しないことがある場合、例えば、セル固有参照信号がすべてのサブフレームまたは知られたサブフレーム内で受信されないことがある場合、無線リンクモニタリングおよび／または測定を実行することができる。例えば、セルは、サブフレームベースで、またはある時間期間にわたって、不連続送信（ＤＴＸ）またはオン／オフ動作を適用することができる。測定は、ＲＳＲＰ、ＲＳＲＱ、ＤＳ−ＲＳＲＰ、および／またはＤＳ−ＲＳＲＱなどの、無線リソース管理（ＲＲＭ）測定を含むことができる。ＰＤＳＣＨ復調を支援するための長期チャネルプロパティ（例えば、タイミング、ドップラ）を推定するために、例えば、準コロケーション（ＱＣＬ）復調支援のための測定を行うために使用することができる信号を識別するために、測定を実行することができる。そのような測定は、チャネル推定測定または復調支援測定と呼ばれることがある。いくつかの測定は、粗略な時間および周波数同期のために実行することができる。
【０２１４】
ｅＮＢは、発見信号とＣＲＳの送信の間で動的に切り換えを行うことができる。例えば、ｅＮＢは、それがＷＴＲＵまたは接続されたＷＴＲＵを有する場合に、ＣＲＳを送信することができ、いかなる接続されたＷＴＲＵも有さない場合に、発見信号を送信することができる。例では、ｅＮＢは、それがデータを１または複数のＷＴＲＵに送信する場合に、ＣＲＳを送信することができ、それ以外の場合は、ＣＲＳを送信しないようにすることができる。ｅＮＢは、発見信号を送信することができ（例えば、常に発見信号を送信することができ）、それが接続されたＷＴＲＵを有する場合、またはそれがデータを１または複数のＷＴＲＵに送信する場合に、ＣＲＳを送信することができる。ｅＮＢは、（例えば、接続されたＷＴＲＵが依然として存在する場合であっても）それが送信すべきいかなるダウンリンクデータも有なさい場合に、発見信号を送信することができ、それがダウンリンクデータ送信を有する場合に、ＣＲＳを送信することができる。ｅＮＢは、発見信号を送信することができ（例えば、常に送信することができ）、それが送信すべきダウンリンクデータを有する場合に、ＣＲＳを送信することができる。発見信号は、サブフレームのサブセットにおいて（例えば、サブセットにおいてのみ）、例えば、疎らに送信することができる。発見信号は、１または複数のシンボルおよび／またはサブフレーム内で送信することができる、ＰＳＳ、ＳＳＳ、ＣＲＳ、ＣＳＩ−ＲＳ、および／またはＰＲＳのうちの少なくとも１つの信号を含むことができる。
【０２１５】
ＷＴＲＵは、無線リンクモニタリング、復調支援、および／またはＲＲＭ測定のために使用することができる信号のタイプを決定することができる。例えば、ＷＴＲＵは、同期信号または参照信号（例えば、ＰＳＳ／ＳＳＳもしくはＡｕＳＳまたはＣＲＳ）の存在またはそれらの特定のプロパティの検出に基づいて、ＣＲＳまたは発見信号をモニタリングすることができると決定することができる。
【０２１６】
ＷＴＲＵは、本明細書で説明されるように、セル固有参照信号（ＣＲＳ）の代わりに、またはそれに加えて、ＡｕＳＳまたは他のタイプの信号などの発見信号および場合によっては他のリソースに基づいて、ダウンリンク無線リンク品質をモニタリングすること、ならびに／または復調支援測定および／もしくはＲＲＭ測定を実行することができる。
【０２１７】
ＷＴＲＵは、本明細書で説明されるように、セルの状態に基づいて、無線リンクモニタリング、復調支援測定、および／またはＲＲＭ測定のために使用される信号を決定することができる。
【０２１８】
無線リンク品質を決定する場合、ＷＴＲＵは、ＣＳＩ−ＩＭリソースと同様または同一の構造を有することができる、干渉測定リソース（ＲＬ−ＩＭ）に基づいて、干渉を推定することができる。このリソースは、ＲＲＣシグナリングによって提供することができる。
【０２１９】
ＷＴＲＵは、ＣＲＳに基づいて、ダウンリンク無線リンク品質をモニタリングし、および／またはＣＲＳに基づいて、ＲＳＲＰ、ＲＳＲＱなどのＲＲＭ測定を実行し、および／またはＣＲＳが存在するもしくは送信されたと決定されたサブフレームにわたって、例えば、そのようなサブフレームのみにわたって、ＣＲＳに基づいて、復調支援測定を実行することができる。
【０２２０】
ＷＴＲＵは、ＣＲＳがサブフレーム内で送信されたかどうかを決定することができる。例えば、ＷＴＲＵは、ＣＲＳがセル内で、場合によってはサブフレームの指定されたサブセットにわたって送信されたことを示すインジケーション（表示）をネットワークからＷＴＲＵが受信したかどうかに基づいて、ＣＲＳがサブフレーム内で送信されたかどうかを決定することができる。このインジケーション（表示）は、（例えば、専用のまたはブロードキャストされる）物理レイヤ、ＭＡＣ、またはＲＲＣシグナリングから受信することができる。例えば、インジケーション（表示）は、先行するサブフレーム内のＰＤＣＣＨまたはＥ−ＰＤＣＣＨから受け取ったＤＣＩを含むことができ、それは、ＤＣＩの受け取り後のＮサブフレームにおいて開始するＭ個の連続するサブフレームのセットの間におけるＣＲＳの存在、またはＤＣＩの受け取り後のＮサブフレームにおいて開始する他の何らかのサブフレームパターンに従ったＣＲＳの存在を示すことができる。
【０２２１】
ＷＴＲＵは、数々のイベントのうちの１または複数がサブフレームの間に、または閾値ＱｏｕｔまたはＱｉｎについての評価期間の開始以降に発生したかどうかに基づいて、ＣＲＳがサブフレーム内で送信されたかどうかを決定することができる。イベントは、ＣＲＳの信号強度が（例えば、少なくとも１つのサブフレームまたは複数のサブフレームの間に）閾値を上回ったことの決定に基づいて、ＣＲＳの存在をＷＴＲＵが検出することができることとすることができる。イベントは、時間期間以内に、ＣＲＳのそれに対応するセルアイデンティティを示すＰＳＳ／ＳＳＳなどの同期信号の存在をＷＴＲＵが検出することができることとすることができる。例えば、ＷＴＲＵは、ＰＳＳ／ＳＳＳの受信に続く少なくとも５０ｍｓの間に、ＣＲＳが送信されると仮定することができる。イベントは、ＣＲＳが送信されていないこと（例えば、休止セル）をプロパティが示すＡｕＳＳなどの１もしくは複数の同期信号の存在をＷＴＲＵが検出することができること、または発見信号の存在をＷＴＲＵが検出することができることとすることができる。イベントは、ＷＴＲＵが、例えば、ＰＤＣＣＨまたはＥ−ＰＤＣＣＨからの、ダウンリンク制御情報を復号したこととすることができる。イベントは、同じサブフレーム内で、または最新のＮサブフレーム内の先行するサブフレーム内で、ＷＴＲＵがＰＤＳＣＨ割り当てを受信したこととすることができる。
【０２２２】
ＷＴＲＵは、測定された信号強度が閾値を上回ったかどうかに基づいて、ＣＲＳがサブフレーム内で送信されたと決定することができる。閾値は、絶対的な値とすることができ、または第２の信号が存在すると知られていることができる少なくとも１つのサブフレーム内で測定された、（サービング）セルのＰＳＳ、ＳＳＳ、もしくはＤＲＳなどの第２の信号の信号強度（例えば、ＲＳＲＰ）もしくは品質（例えば、ＲＳＲＱ）に対する相対的な値とすることができる。例えば、閾値は、セルの測定されたＲＳＲＰよりもＫｄＢ下とすることができ、そこでは、ＲＳＲＰは、発見信号に基づいて測定することができる。Ｋの値は、より高位のレイヤによって事前に定めること、または構成することができる。Ｋの値は、例えば、フォールスアラーム検出の目標パーセンテージに基づいた適応的な方法で、変更することができる。
【０２２３】
ＷＴＲＵは、数々の条件の１つまたは組み合わせが満たされた場合、ＣＲＳに基づいて、ダウンリンク無線リンク品質をモニタリングすることができ、ならびに／またはＣＲＳに基づいて、ＲＲＭ測定を実行すること、および／もしくは復調支援のためにＣＲＳを測定することができる。条件は、例えば、サブフレームの指定されたサブセットの間に、無線リンクモニタリングおよび／またはＲＲＭ測定もしくは復調支援測定のためにＣＲＳを使用することができることを示すインジケーション（表示）をＷＴＲＵがネットワークから受信したこととすることができる。このインジケーション（表示）は、（例えば、専用のまたはブロードキャストされる）物理レイヤ、ＭＡＣ、またはＲＲＣシグナリングから受信することができる。条件は、タイマＴ３１０が開始されたこと、または動作中であることとすることができる。条件は、ＤＲＸのために使用される非活動タイマが動作中であること、またはＷＴＲＵがアクティブ時間にあることとすることができる。条件は、同期ずれを示されたことをＷＴＲＵがより高位のレイヤに示したこと（または、例えば、より高位のレイヤへの最新のインジケーション（表示）が同期ずれしていること）とすることができる。条件は、発見信号が存在しないまたはもはや存在しないことをＷＴＲＵが検出することができることとすることができる。この検出は、無線リンク品質および／または発見信号に基づいた測定値が、閾値よりも下に低下したとの決定、または閾値よりも大きい量だけ変化したとの決定に基づくことができる。この検出は、ＰＳＳ／ＳＳＳもしくはＡｕＳＳなどの同期信号が送信されないもしくはもはや送信されないことの検出から決定することができ、または時間領域もしくは周波数領域内の位置、もしくはザドフ−チュー基本系列など、検出されたＰＳＳ／ＳＳＳもしくはＡｕＳＳもしくは発見信号のプロパティに基づくことができる。
【０２２４】
ＷＴＲＵは、例えば、数々の条件の１つもしくは組み合わせが満たされた場合、または他のシナリオにおいて、発見信号に基づいて、ダウンリンク無線リンク品質をモニタリングすることができ、または復調支援もしくはＲＲＭ測定のために、発見信号を測定することができる。条件は、例えば、サブフレームの指定されたサブセットの間に、無線リンクモニタリングまたはＱＣＬ復調支援のために発見信号を使用することができることを示すインジケーション（表示）をＷＴＲＵがネットワークから受信したこととすることができる。このインジケーション（表示）は、（例えば、専用のまたはブロードキャストされる）物理レイヤ、ＭＡＣ、またはＲＲＣシグナリングから受信することができる。条件は、（例えば、本明細書で開示される条件に基づいて、例えば、サブフレームがＤＣＩの受信によって示されるサブフレームのサブセットの一部ではない場合）ＣＲＳが存在しないまたはもはや存在しないとＷＴＲＵが決定することができることとすることができる。この検出は、無線リンク品質および／またはＣＲＳに基づいた測定値が、閾値よりも下に低下したとの決定、または閾値よりも大きい量だけ変化したとの決定に基づくことができる。この検出は、ＰＳＳ／ＳＳＳもしくはＡｕＳＳなどの同期信号が送信されない（もしくはもはや送信されない）ことの検出から、または検出されたＰＳＳ／ＳＳＳもしくはＡｕＳＳのプロパティに基づいて、決定することができる。条件は、発見信号が送信されていることをプロパティが示す、ＰＳＳ／ＳＳＳもしくはＡｕＳＳまたは発見信号などの１または複数の同期信号の存在をＷＴＲＵが検出することができることとすることができる。
【０２２５】
無線リンク品質推定、ならびにＲＲＭ測定および復調支援測定は、評価期間または測定期間にわたって測定される信号の組み合わせに基づくことができる。
【０２２６】
評価期間にわたる無線リンク品質の推定（例えば、単一の推定）は、場合によっては異なるタイプの信号および／またはリソースの組み合わせに基づいて、実行することができる。この推定は、より高位のレイヤへの同期一致または同期ずれインジケーション（表示）を決定するための閾値ＱｏｕｔおよびＱｉｎと比較することができる。例えば、評価期間において、無線リンク品質の決定のために発見信号とＣＲＳの両方が（例えば、それらが存在すると決定されたサブフレーム内で）使用されるとＷＴＲＵが決定した場合、ＷＴＲＵは、両方の信号に基づいて、無線リンク品質の推定値（例えば、単一の推定値）を計算することができる。ＷＴＲＵは、この推定値からの無線リンク品質が閾値Ｑｉｎよりも高くなる場合、同期一致をより高位のレイヤに示すことができ、この推定値からの無線リンク品質が閾値Ｑｏｕｔよりも低くなる場合、同期ずれをより高位のレイヤに示すことができる。
【０２２７】
ＲＳＲＰまたはＲＳＲＱなどの測定は、場合によっては異なるタイプの信号および／またはリソースの組み合わせに基づいて、与えられた測定期間にわたって行うことができる。ＷＴＲＵは、例えば、測定期間にわたって異なるタイプの信号（例えば、ＣＲＳおよび／もしくは発見信号）から取得された測定推定値を平均し、ならびに／または測定期間に対応する持続時間にわたって、異なるタイプの測定サンプルに基づいて、移動平均を維持することができる。
【０２２８】
同期一致または同期ずれインジケーション（表示）は、信号の各タイプについて別々に決定することができる無線リンク品質推定値に基づくことができる。信号の各タイプに基づいて、例えば、異なる評価期間にわたって、無線リンク品質の別々の推定を実行することができる。例えば、ＷＴＲＵは、発見信号に基づいて、無線リンク品質の推定値（Ｑｄ）を決定することができ、利用可能であるならば、ＣＲＳに基づいて、無線リンク品質の推定値（Ｑｃ）を別に決定することができる。
【０２２９】
ＱｄおよびＱｃのための評価期間は、等しくなるように設定することができる。ＷＴＲＵは、ＱｄもしくはＱｃのどちらかが閾値Ｑｉｎよりも高くなる場合（または、例えば、ＱｄおよびＱｃの両方が閾値Ｑｉｎよりも高くなる場合）、同期一致をより高位のレイヤに示すことができる。ＷＴＲＵは、ＱｄとＱｃの両方が閾値Ｑｏｕｔよりも低くなる場合、同期ずれをより高位のレイヤに示すことができる。
【０２３０】
ＷＴＲＵは、単一のタイプの信号の品質が閾値（例えば、ＱｏｕｔもしくはＱｉｎまたは別の閾値）を下回らない限り、この信号の推定値（例えば、Ｑｄ）を決定することができる。信号の品質が閾値を下回った場合、ＷＴＲＵは、別のタイプの信号に基づいた無線リンク品質推定（例えば、Ｑｃ）を、または利用可能であるならば、本明細書で開示されるように、信号の組み合わせに基づいた無線リンク品質推定を開始することができる。ＷＴＲＵは、例えば、第１のタイプの信号から推定された品質が閾値Ｑｏｕｔよりも低くなった場合、（例えば、直ちに）同期ずれをより高位のレイヤに示すことができる。ＷＴＲＵは、評価期間に続いて、第２のタイプの信号に基づいて推定された品質（Ｑｃ）または信号の組み合わせに基づいて推定された品質も閾値Ｑｏｕｔよりも低いと決定された場合、同期ずれを示すことができる。同期一致または同期ずれについてのその後のインジケーション（表示）は、この点からは、第１のタイプの信号および第２のタイプの信号の一方もしくは両方、または信号の組み合わせに基づいて推定された品質に基づくことができる。例えば、ＷＴＲＵは、ＱｄまたはＱｃの一方（またはそれらの両方）が閾値Ｑｉｎよりも高くなる場合に、同期一致をより高位のレイヤに示すことができる。
【０２３１】
ＷＴＲＵは、第１の信号の品質（Ｑｄ）が閾値よりも高くなった場合に、第２のタイプの信号（または信号の組み合わせ）に基づいた無線リンク品質推定を停止し、第１のタイプの信号のモニタリングに戻ることができる。第２のタイプの信号に基づいた無線リンク品質推定が開始されたときに開始されたタイマが、より高位のレイヤへの閾値Ｑｏｕｔまたは閾値Ｑｉｎのインジケーション（表示）によって停止されなかった場合、そのタイマの満了時に、ＷＴＲＵは、これを行うことができる。
【０２３２】
各タイプの信号について独立に、測定値を決定することができる。例えば、ＷＴＲＵは、各タイプの信号、例えば、発見信号およびＣＲＳについて独立に、ＲＳＲＰまたはＲＳＲＱなどの測定値を測定することができる。信号のタイプは、本質的に、セルの状態、例えば、休止またはアクティブと関連付けることができる。ＷＴＲＵは、各タイプの信号について獲得された測定値の関数に基づいて、Ｌ３フィルタリングならびに後続のトリガリングおよびレポーティングのために、どの測定値が使用されるかを決定することができる。例えば、ＷＴＲＵは、測定期間において、ＣＲＳに基づいて、第１のＲＳＲＰ値（ＲＳＲＰ＿ｃ）を、発見信号に基づいて、第２のＲＳＲＰ値（ＲＳＲＰ＿ｄ）を推定することができる。ＷＴＲＵは、測定期間についてのＲＳＲＰ値が、例えば、２つの値のうちの大きい方、小さい方、またはそれらの平均であると決定することができる。
【０２３３】
ＷＴＲＵは、１つの測定期間と別の測定期間とで異なる信号を選択し、使用することができる。信号または信号のセットの選択は、本明細書で開示される例の１つに基づくことができる。ＷＴＲＵは、各測定期間において使用される信号または信号のセットにかかわりなく、異なる期間から取得された測定値のＬ３フィルタリングを実行することができる。ＷＴＲＵは、測定のために使用される参照信号のタイプに応じて、異なる測定レポートトリガを用いるように事前構成することができる。
【０２３４】
ＷＴＲＵは、測定レポート内で参照信号のタイプを示すことができる。例えば、測定レポートを送信するとき、ＷＴＲＵは、各測定のために使用された参照信号または参照信号のセットを示すことができる。例えば、測定レポートを送信するとき、ＷＴＲＵは、測定のために使用された参照信号と関連付けられた測定アイデンティティ（識別）を示すことができる。参照信号自体は、セルの状態が休止か、それともアクティブかを示すことができる。これは、セル（もしくは近隣セル）がオンか、それともオフかをｅＮＢに示すことができ、またはＷＴＲＵのハンドオーバが利用可能かどうか、もしくはＷＴＲＵの構成にセルを追加することができるかどうかを決定する助けになることができる。
【０２３５】
ｅＮＢは、無線リンクモニタリングおよび／または測定のためにＷＴＲＵが使用することができる参照信号のタイプまたは参照信号をＷＴＲＵに示すことができる。例えば、ｅＮＢは、無線リンクモニタリングのために使用することができる参照信号のタイプ（例えば、発見および／またはＣＲＳ）を示すために、ＳＩＢを変更することができる。ｅＮＢは、将来の無線リンクモニタリングのために使用される参照信号を接続されたＷＴＲＵに示すＰＤＣＣＨまたはＥ−ＰＤＣＣＨを送信することができる。そのようなＰＤＣＣＨまたはＥ−ＰＤＣＣＨは、共通探索空間において送信することができ、すべての接続されたＷＴＲＵに割り当てられたグループＲＮＴＩを使用することができる。ｅＮＢは、アイドルＷＴＲＵ（例えば、すべてのアイドルＷＴＲＵ）に、測定のためにＷＴＲＵが使用することができる参照信号を示すページングメッセージを送信することができる。
【０２３６】
セルのオン状態またはオフ状態を示すことができる。セルは、オン状態またはオフ状態にあることができる。そのようなセル状態をＷＴＲＵに示すことができる。ＷＴＲＵ挙動は、セルの状態に依存することができる。例えば、ＷＴＲＵは、セルがオン状態にあるか、それともオフ状態にあるかに応じて、パラメータの異なるセットを用いるように事前構成することができる。パラメータは、例えば、より高位のレイヤの測定のために使用することができるリソース（例えば、サブフレーム、ＲＥ、ＰＲＢ、帯域幅、および／もしくはサブフレームサブセット）およびそのような測定を報告するために使用されるリソース、ＣＳＩ測定のために使用することができるリソース（例えば、サブフレーム、ＲＥ、ＰＲＢ、帯域幅、および／もしくはサブフレームサブセット）およびＣＳＩフィードバックを報告するために使用されるリソース、ＷＴＲＵによって行われるＱＣＬ仮定、セル帯域幅、発見信号（ＤＲＳ）、ＣＲＳ、ＣＳＩ−ＲＳ、ＣＳＩ−ＩＭ、ＰＲＳ、ＰＳＳ／ＳＳＳ、および／もしくはＰＢＣＨなどの異なる信号のために使用されるリソース、セルＩＤおよび／もしくは仮想セルＩＤ、ならびに／またはＤＬ送信電力を含むことができる。
【０２３７】
セルは、その状態を、それにサービスされるＷＴＲＵに、またはそのようなメッセージを受信することが可能ないずれのＷＴＲＵにも示すことができる。そのようなインジケーションは、定期的に送信することができる。例えば、ＷＴＲＵは、発見参照信号（ＤＲＳ）とともに、またはＤＲＳの送信から事前構成された時間期間以内に、セルの状態のインジケーション（表示）を含めることができる。セルの状態は、定期的に送信することができる。ＷＴＲＵは、そのような可能な状態インジケーション（表示）を求めてモニタリングするように構成することができる。セルの状態は、ＳＩＢ、ページングメッセージ、グループＲＮＴＩを使用するＰＤＣＣＨもしくはＥ−ＰＤＣＣＨ、ならびに／またはＤＲＳなどの信号のパラメータ（例えば、タイミング、ＲＥロケーション、系列、ＯＣＣ、および／もしくはサイクリックシフト）のうちの１つにおける要素の１または複数において、ＷＴＲＵに提供することができる。
【０２３８】
状態インジケーションは、差し迫った状態変化についての通知を含むことができる。例えば、オフ状態またはオン状態にあるセルは、それがオフ状態またはオン状態にあることを示すことができる信号を（例えば、定期的に）送信することができる。信号は、それが間もなく状態を変化させて、オン状態またはオフ状態に入ることをＷＴＲＵに通知するインジケーションを含むことができる。セル状態変化のインジケーション（表示）は、セルがいつ状態を変化させることができるかについてのタイミングも含むことができる。セルが状態を変化させることができる事前構成された瞬間（例えば、フレームおよび／またはサブフレーム）が存在することができる。いずれの瞬間においても、セルは、許可および事前構成されたセル状態変化の瞬間において変化が発生することができる（例えば、そのときだけ発生することができる）との理解の下で、近づきつつあるセル状態変化についてのインジケーション（表示）を送信することができる。事前構成および許可されたセル状態変化の時刻は、ブロードキャストすることができ、ＳＩＢまたはいずれかのより高位のレイヤのシグナリングを介して構成することができる。近づきつつあるセル状態変化についてのインジケーションは、（例えば、セル状態変化を示すための専用Ｐ−ＲＮＴＩを使用する）ページング、グループＲＮＴＩを使用するＰＤＣＣＨもしくはＥ−ＰＤＣＣＨ、および／または発見信号の非定期的な送信のうちの１または複数を介して提供することができる。
【０２３９】
インジケーション（表示）は、セル状態変化メッセージを含むことができる。ＷＴＲＵは、将来の状態を知るために、先行する状態を知ることができる。状態についてのインジケーション（表示）は、曖昧さが存在しないことを保証するために、将来のセル状態か、それとも現在のセル状態かを明示的に識別することができる。
【０２４０】
ＷＴＲＵは、ＤＲＳまたはＣＲＳの存在または非存在に基づいて、セルの状態を暗黙的に決定することができる。例えば、ＷＴＲＵは、ＤＲＳまたはＣＲＳを検出することができ、セルがオフ状態にあると推論することができる。ＷＴＲＵは、信号の測定された信号強度が閾値を上回るかどうかに基づいて、信号が存在すると決定することができる。閾値は、絶対的な値とすることができ、または第２の信号が存在すると知られていることができる１もしくは複数のサブフレーム内で測定された、（サービング）セルのＰＳＳ、ＳＳＳ、もしくはＤＲＳなどの第２の信号の信号強度（例えば、ＲＳＲＰ）もしくは品質（例えば、ＲＳＲＱ）に対する相対的な値とすることができる。例えば、閾値は、セルの測定されたＲＳＲＰよりもＫｄＢ下とすることができ、そこでは、ＲＳＲＰは、発見信号に基づいて測定することができる。Ｋの値は、より高位のレイヤによって事前に定めること、または構成することができる。Ｋの値は、例えば、フォールスアラーム検出の目標パーセンテージに基づいた適応的な方法で、変更することができる。
【０２４１】
セルの状態についての知識は、ＷＴＲＵが、適切な状態固有の測定を実行することを可能にすることができる。例えば、ＷＴＲＵは、セルがオフ状態にある場合は、ＤＲＳ上でＲＬＭを実行することができ、セルがオン状態にある場合は、ＣＲＳ上でＲＬＭを実行することができる。
【０２４２】
ＷＴＲＵは、バッテリ電力を節約するために不連続受信（ＤＲＸ）を用いるように構成することができる。非活動タイマの満了時に、ＷＴＲＵは、ＤＲＸに入ることができる。ＷＴＲＵのサービングセルは、オン状態またはオフ状態にあることができる。サービングセルは、ＷＴＲＵが非アクティブである間、状態を変化させることができる。ＷＴＲＵがアクティブ時間に入ったときにセルの状態を知っていることを保証するために、セルは、サービスされるＷＴＲＵがアクティブ時間にあるときは、状態のいずれの更新も（例えば、状態についての明示的なインジケーション（表示）、または状態の変化、例えば、状態の将来の変化についてのインジケーションを）送信することができることを保証することができる。
【０２４３】
ＷＴＲＵは、短いＤＲＸパターンおよび長いＤＲＸパターンと重なり合うことができる別のＤＲＸパターン（例えば、セル状態ＤＲＸパターンまたは機会パターン）を用いるように構成することができる。そのようなセル状態ＤＲＸパターンは、ＷＴＲＵが、セル状態の更新が送信されることができるときにウェイクアップすることを可能にすることができる。セル状態の潜在的な更新をリスンするためにウェイクアップしたＷＴＲＵは、そのような更新をリスンすることができ、例えば、他のいずれのＰＤＣＣＨまたはＥ−ＰＤＣＣＨメッセージもリスンしないようにすることができる。例えば、セル状態の更新を受信したとき、ＷＴＲＵは、非アクティブモードに（例えば、直ちに）戻ることができる。セル状態の更新を受信したとき、ＷＴＲＵは、非活動タイマを開始し、他の任意のダウンリンク送信をリスンすることができる。非活動タイマが満了する前に、いずれのそのような送信も受信することができなかった場合、ＷＴＲＵが非アクティブモードに戻ることを可能にすることができる。セル状態ＤＲＸパターンは、ＷＴＲＵを、一定の時間期間の間、例えば、それがセル状態の更新を受信したかどうか、またはいつ受信したかにかかわらず、アクティブにすることができる。
【０２４４】
ＷＴＲＵは、セル状態の更新を受信することができないことがある。例えば、それは、セル状態を復号することができないことがあり、またはＷＴＲＵが非アクティブであった間に、更新が送信されていることがある。ＷＴＲＵは、短いＤＲＸまたは長いＤＲＸからウェイクアップしたときに、セル状態を自律的に決定することができる。短いＤＲＸまたは長いＤＲＸからウェイクアップしたときに、ＷＴＲＵは、ＷＴＲＵが非アクティブモードに入ったときと同じ状態をセルが有すると仮定することによって、セルの状態を決定することができる。ＷＴＲＵは、ＷＴＲＵが非アクティブモードに入ったときにセルがあった状態のために規定された方法に従って、振る舞うことが（例えば、測定値を取得しようと試みること、ＰＤＣＣＨまたはＥ−ＰＤＣＣＨを復号しようと試みることなどが）できる。セル状態についてのＷＴＲＵの仮定に基づいて適切な信号上で測定値を取得するとき、ＷＴＲＵは、それを、アクティブ時間の間に取得された最新の測定値と比較することができる。その測定値と先のアクティブ時間の測定値の間の差が閾値よりも大きい場合、ＷＴＲＵは、セルの状態が変化しており、新しい状態の仮定に適した信号上で測定値を取得することができると自律的に仮定することができる。新しい測定値が先の測定値と少なくとも閾値だけ異なると決定したとき、ＷＴＲＵは、セルの状態に関するさらなるどのような仮定も行う前に、次のセル状態インジケーション（表示）を待つことができる。新しい測定値が先の測定値と少なくとも閾値だけ異なると決定したとき、ＷＴＲＵは、セル再選択を開始することができる。
【０２４５】
ＷＴＲＵは、セルがオフであると仮定することによって、セルの状態を決定することができる。ＷＴＲＵは、発見信号を検出しようと試みることができる。例えば、事前構成された時間量以内に、発見信号を検出することができなかった場合、セルがオンであるとＷＴＲＵに仮定させ、ＣＲＳ信号を検出しようと試みさせることができ、または無線リンク障害が発生したとＷＴＲＵに決定させ、関連するアクションを実行させることができる。
【０２４６】
ＷＴＲＵは、セルがオンであると仮定することによって、セルの状態を決定することができる。ＷＴＲＵは、ＣＲＳ信号を検出しようと試みることができる。例えば、事前構成された時間量以内に、ＣＲＳ信号を検出することができなかった場合、セルがオフであるとＷＴＲＵに仮定させ、ＤＲＳ信号を検出しようと試みさせることができ、または無線リンク障害が発生したとＷＴＲＵに決定させ、関連するアクションを実行させることができる。
【０２４７】
ＷＴＲＵは、セルの状態についてのインジケーション（表示）を受信するまで、アクティブであり続けることができる。ＷＴＲＵは、アクティブ時間期間のサブセットにおいて、この方法で振る舞うように構成することができる。例えば、ＷＴＲＵは、ＷＴＲＵがアクティブモードに入るｎ回ごとにセルの状態の決定に成功するまで、アクティブであり続けるように構成することができる。そのようなアクティブ時間において、ＷＴＲＵは、セルの状態の決定に成功するまで、非活動タイマを開始しないようにすることができる。
【０２４８】
ＷＴＲＵは、セルがオンであるとＷＴＲＵに暗黙的に示すＰＤＣＣＨまたはＥ−ＰＤＣＣＨを受信するまで、セルがオフであると仮定することによって、セルの状態を決定することができる。暗黙的なインジケーション（表示）の例は、ＷＴＲＵが（例えば、ＤＬリソースを割り当てるための、またはＵＬリソースを許可するための、またはページングの目的で）ＰＤＣＣＨまたはＥ−ＰＤＣＣＨを受信した場合に、セルがオンであると仮定することができることとすることができる。
【０２４９】
短いＤＲＸサイクルおよび／または長いＤＲＸサイクルを用いるように構成されたＷＴＲＵは、ＤＲＳ上での測定のために非アクティブモードからウェイクアップするように構成することができる。ＷＴＲＵは、それがＤＲＳ送信を予想することができるサブフレームを用いるように構成することができる。非アクティブ時間の間、ＷＴＲＵは、ＤＲＳ上で測定値を取得するために、サブフレーム（例えば、単一のサブフレーム）の間、ウェイクアップすることができ、例えば、次のサブフレームにおいて、非アクティブモードに（例えば、直ちに）戻ることができる。ＷＴＲＵは、ＤＲＳが予想されるさらなるサブフレームまで、またはＤＲＸサイクルの非アクティブ期間が満了するまで、非アクティブモードに留まることができる。
【０２５０】
ＷＴＲＵは、非アクティブ時間中にＤＲＳ上で取得された測定値を先のアクティブ時間に取得されたそれらと比較して、セルの状態を決定することができる。例えば、セルがオフ状態にある間に非アクティブ時間に入ったＷＴＲＵは、非アクティブ時間中にＤＲＳ上で測定値を取得することができる。非アクティブ時間中に取得された測定値が非アクティブ時間の前に取得されたそれらの閾値以内にある場合、ＷＴＲＵは、セルの状態が同じままであると決定することができる。閾値を超える測定値の変化、またはＤＲＳを検出することができないことは、ＤＲＳがもはや送信されないことをＷＴＲＵに示すことができ、ＷＴＲＵは、セルがオンにされたと決定することができる。同様に、セルがオン状態にある間に非アクティブ時間に入ったＷＴＲＵは、非アクティブ時間中にＤＲＳ上で測定値を取得することができる。非アクティブ時間におけるＤＲＳ上の測定値が、アクティブ時間において取得された測定値と比較して、閾値を超えて変化した場合、またはＤＲＳが検出可能になった場合、ＷＴＲＵは、ＤＲＳが送信され始めており、セルがオフにされたと決定することができる。
【０２５１】
ＷＴＲＵは、非アクティブ時間の間、例えば、単一のサブフレームの期間にわたって、ウェイクアップして、サービングセルのＣＲＳを検出しようと試みるように構成することができる。ＣＲＳの存在または非存在は、セルがオンか、それともオフかを、ＷＴＲＵに示すことができる。
【０２５２】
本明細書で説明されたプロセスおよび手段は、任意の組み合わせで適用することができ、他の無線技術に対して、および他のサービスのために適用することができる。
【０２５３】
ＷＴＲＵは、物理デバイスのアイデンティティを、または利用契約関連のアイデンティティ（識別）、例えば、ＭＳＩＳＤＮ、ＳＩＰ  ＵＲＩなどの、ユーザのアイデンティティ（識別）を参照することができる。ＷＴＲＵは、アプリケーションベースのアイデンティティ（識別）、例えば、アプリケーションごとに使用することができるユーザ名を参照することができる。
【０２５４】
上では特徴および要素が特定の組み合わせで説明されたが、各特徴または要素は、単独で使用することができ、または他の特徴および要素との任意の組み合わせで使用することができることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施することができる。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサは、ＷＴＲＵ、ＵＥ、端末、基地局、ＲＮＣ、または任意のホストコンピュータにおいて使用するための無線周波送受信機を実施するために使用することができる。
【図１Ａ】
2016518772.tif 000005
【図１Ｂ】
2016518772.tif 000006
【図１Ｃ】
2016518772.tif 000007
【図１Ｄ】
2016518772.tif 000008
【図１Ｅ】
2016518772.tif 000009
【図２】
2016518772.tif 000010
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
無線リンクをモニタする方法において、
無線送受信ユニット（ＷＴＲＵ）において、補助同期信号（ＡｕＳＳ）または発見信号の１つ以上を検出するステップと、
前記ＷＴＲＵによって、前記検出された信号を、サービングセルの信号に対する前記検出された信号のタイミングの関数として処理するステップと、
前記ＷＴＲＵによって、前記検出された信号に基づいて、無線リンクモニタリングを実行するステップと、
前記ＷＴＲＵによって、前記補助同期信号（ＡｕＳＳ）または前記発見信号の前記１つ以上のプロパティの関数として、セル検出情報を決定するステップであって、前記セル検出情報は、セルが休止状態にあるのかまたはアクティブ状態にあるのかどうかの表示を含む、ステップと
を備えることを特徴とする方法。
【請求項２】
予め規定された時間ウィンドウの中で、前記ＡｕＳＳまたは前記発見信号の前記１つ以上を検出するステップをさらに備えることを特徴とする請求項１に記載の方法。
【請求項３】
前記ＡｕＳＳまたは前記発見信号の前記１つ以上に基づいて、前記無線リンクの無線リンク品質推定または測定の１つ以上を実行するステップをさらに備えることを特徴とする請求項１に記載の方法。
【請求項４】
前記無線リンクの無線リンク品質推定または測定の前記１つ以上を実行するのに使用される参照信号のタイプを示している測定報告を生成するステップをさらに備えることを特徴とする請求項３に記載の方法。
【請求項５】
前記測定報告は、前記検出された信号のタイミング情報を示していることを特徴とする請求項４に記載の方法。
【請求項６】
前記サービングセルの状態に基づいて、無線リンクモニタリングのために使用される信号を決定するステップをさらに備えることを特徴とする請求項１に記載の方法。
【請求項７】
前記ＷＴＲＵにおいて、発見参照信号（ＤＲＳ）を検出するステップと、
前記ＤＲＳに基づいて、前記サービングセルの前記状態を決定するステップと
をさらに備えることを特徴とする請求項６に記載の方法。
【請求項８】
前記セル検出情報は、セル識別パラメータ、セルの動作周波数、セルの状態の１つ以上を含むことを特徴とする請求項１に記載の方法。
【請求項９】
デバイスにおいて、
プロセッサと、
前記プロセッサによって実行されたときに前記デバイスに
前記デバイスにおいて、補助同期信号（ＡｕＳＳ）または発見信号の１つ以上を検出し、
前記検出された信号を、サービングセルの信号に対する前記検出された信号のタイミングの関数として処理し、
前記検出された信号に基づいて、無線リンクモニタリングを実行し、並びに、
前記補助同期信号（ＡｕＳＳ）または前記発見信号の前記１つ以上のプロパティの関数として、セルが休止状態にあるのかまたはアクティブ状態にあるのかどうかの表示を含むセル検出情報を決定させる
命令を含んだメモリと
を備えたことを特徴とするデバイス。
【請求項１０】
前記メモリは、前記プロセッサによって実行されたときに前記デバイスに
示された開始時刻で始まる複数のサブフレームの中で、前記ＡｕＳＳまたは前記発見信号の前記１つ以上を検出させる命令をさらに含むことを特徴とする請求項９に記載のデバイス。
【請求項１１】
プロセッサおよびメモリを備えた無線送受信ユニット（ＷＴＲＵ）において、
セルによりブロードキャストされる補助同期信号（ＡｕＳＳ）または発見信号の１つ以上を検出し、
前記ＡｕＳＳまたは前記発見信号の前記１つ以上に基づいて、前記セルの状態を決定し、前記状態は、前記セルがアクティブであるかまたは休止しているかどうかの表示と、もし前記セルが休止していれば、休止状態に関連付けられたタイミング情報とを含み、
前記ＡｕＳＳまたは前記発見信号の前記１つ以上に基づいて、前記セルのためのセル検出情報の少なくとも１つの追加の項目を決定し、セル検出情報の前記少なくとも１つの追加の項目は、前記ＡｕＳＳまたは前記発見信号の前記１つ以上をブロードキャストするのに使用される、時間領域の位置または周波数領域の位置のうちの１つ以上に基づいて決定され、並びに、
前記ＡｕＳＳまたは前記発見信号の１つ以上に基づいて、前記セルと同期する
よう構成されたＷＴＲＵ。
【請求項１２】
ネットワークから利用可能なサービスについての情報を獲得する方法において、
無線送受信ユニット（ＷＴＲＵ）において、補助同期信号（ＡｕＳＳ）または発見信号の１つ以上を検出するステップと、
前記検出された信号のプロパティに基づいて、第２の信号を受信するための時間または周波数の少なくとも１つを決定するステップと、
前記決定された時間または前記決定された周波数の前記少なくとも１つに基づいて、前記第２の信号を受信するステップと、
前記第２の信号を処理して、前記ネットワークから利用可能な前記サービスについての情報を獲得するステップと
を備えることを特徴とする方法。
【請求項１３】
前記ネットワークから利用可能な前記サービスはセルであることを特徴とする請求項１２に記載の方法。
【請求項１４】
前記第２の信号を処理するステップは、前記第２の信号を復号することまたは前記第２の信号を復調することの少なくとも１つを含むことを特徴とする請求項１２に記載の方法。
【国際調査報告】
2016518772.tif 000011
2016518772.tif 000012
2016518772.tif 000013